(57)【要約】【課題】発根用充填材の適度な水分量を保つことができ、かつ、ワンタッチで取り木処理を行える取り木用具及び取り木方法を提供する。【解決手段】取り木用具１１は、第１の切り欠き４３ａ及び第２の切り欠き４５ａを有する空洞状の第１密閉カバ−部２１と、第１側壁板に設けられた結合部４１と第２側壁板の一部で結合され、第３の切り欠き４３ｂ及び第４の切り欠き４５ｂを有する第２密閉カバ−部２３とを備え、第１及び第２側壁板が合致し、第１及び第２密閉カバ−部の外形が空洞を内蔵し、第１及び第３の切り欠きで構成された天孔４３、第２及び第４の切り欠きで構成された底孔４５を有する一様な連続面を形成した状態と、第１及び第２側壁板が結合部のみで連結する開状態をとり、一様な連続面を形成した状態において、発根用充填材の圧力により、空洞部、天孔、底孔に、枝を収容することができる。【選択図】      図１
2020022441.tif 000002
【特許請求の範囲】
【請求項１】
第１天板、該第１天板に対向した第１底板、前記第１天板と前記第１底板の間に第１空洞を設けるように、前記第１天板と前記第１底板を接続する第１側壁板を有する第１密閉カバ−部と、
前記第１天板と線状に接触可能な位置、形状及び厚みの接触端部を有する第２天板、前記第１底板と線状に接触可能な位置、形状及び厚みの接触端部を有する第２底板と、前記第１側壁板の外周面と一様な連続面を形成可能な外周面を有し、前記第２天板と前記第２底板の間に前記第１空洞と連続可能な第２空洞を設けるように、前記第２天板と前記第２底板を接続する第２側壁板を有する第２密閉カバ−部と、
前記第１側壁板の連結側端部と前記第２側壁板の連結側端部を回転移動可能に連結する結合部と
を備え、
前記第１天板に第１の切り欠きが、前記第１底板に第２の切り欠きが、前記第２天板に第３の切り欠きが、前記第２底板に第４の切り欠きがそれぞれ設けられ、
前記結合部を回転軸にして前記第１密閉カバ−部又は前記第２密閉カバ−部のいずれか一方を回転移動して開腹状態とすることで、前記第１空洞及び前記第２空洞に発根用充填材を充填し、前記第１密閉カバ−部と前記第２密閉カバ−部の間に、前記第１及び第３の切り欠きで構成される天孔の内径、並びに前記第２及び第４の切り欠きで構成される底孔の内径よりも小さな外径を有する取り木処理対象の枝を挿入し、前記発根用充填材の圧力で、前記第１密閉カバ−部及び前記第２密閉カバ−部を前記枝に固定することを特徴とする取り木用具。
【請求項２】
前記第１側壁板の前記連結側端部に対向する開閉側端部の外壁面の一部に設けられた第１固定手段と、
前記第２側壁板の前記連結側端部に対向する開閉側端部の外壁面の一部に設けられた第２固定手段と
を更に備え、前記第１固定手段と前記第２固定手段とで、ワンタッチで前記第１密閉カバ−部と前記第２密閉カバ−部の開閉状態の束縛を切り替える切替留め具を構成し、該切替留め具によって閉状態にすることにより、前記圧力を発生させることを特徴とする請求項１に記載の取り木用具。
【請求項３】
前記連続面を形成した状態における外形の包絡面がなす立体形状が、円柱形状とみなせることを特徴とする、請求項１又は２に記載の取り木用具。
【請求項４】
前記連続面を形成した状態における外形の包絡面がなす立体形状が、円錐台形状とみなせることを特徴とする、請求項１又は２に記載の取り木用具。
【請求項５】
前記第１天板及び前記第２天板の合計面積が前記第１底板及び前記第２底板の合計面積より広いことを特徴とする請求項４に記載の取り木用具。
【請求項６】
前記天孔及び前記底孔の内径と前記枝の外径との間の隙間が０．５〜２ｍｍであることを特徴とする請求項１〜５のいずれか１項に記載の取り木用具。
【請求項７】
前記第１天板と前記第２天板が互いの接触端部を接触して凹面を構成し、前記第１底板と前記第２底板が互いの接触端部を接触して凹面を構成することを特徴とする請求項１〜６のいずれか１項に記載の取り木用具。
【請求項８】
前記第１天板及び前記第２天板がなす上部において、前記天孔を囲む同心円上に刻まれた、一定間隔で断続的な複数の第１環状孔と、
前記第１底板及び前記第２底板がなす下部において、前記底孔を囲む同心円上に刻まれた、一定間隔で断続的な複数の第２環状孔と
を更に備え、
前記天孔から前記第１環状孔までの前記上部の一部分及び前記底孔から前記第２環状孔までの前記下部の一部分を除去すると、前記天孔及び前記底孔より直径が大きな孔を、前記上部及び前記下部のそれぞれに形成できることを特徴とする請求項１〜７のいずれか１項に記載の取り木用具。
【請求項９】
前記第１天板及び前記第２天板の前記天孔付近並びに前記第１底板及び前記第２底板の前記底孔付近が、それ以外の部位よりも柔らかい素材で構成されていることを特徴とする請求項１〜８のいずれか１項に記載の取り木用具。
【請求項１０】
第１天板、該第１天板に対向した第１底板、前記第１天板と前記第１底板の間に第１空洞を設けるように、前記第１天板と前記第１底板を接続する第１側壁板を有する第１密閉カバ−部と、前記第１天板と線状に接触可能な位置、形状及び厚みの接触端部を有する第２天板、前記第１底板と線状に接触可能な位置、形状及び厚みの接触端部を有する第２底板と、前記第１側壁板の外周面と一様な連続面を形成可能な外周面を有し、前記第２天板と前記第２底板の間に前記第１空洞と連続可能な第２空洞を設けるように、前記第２天板と前記第２底板を接続する第２側壁板を有する第２密閉カバ−部と、前記第１側壁板の一部と前記第２側壁板の一部を回転移動可能に連結する結合部とを備え、前記第１天板に第１の切り欠きが、前記第１底板に第２の切り欠きが、前記第２天板に第３の切り欠きが、前記第２底板に第４の切り欠きがそれぞれ設けられた取り木用具を用いた取り木方法であって、
発根用充填材を水に浸漬する工程と、
前記第１空洞及び前記第２空洞に、前記発根用充填材を充填する工程と、
前記第１及び第３の切り欠きで構成される天孔の内径、並びに前記第２及び第４の切り欠きで構成される底孔の内径よりも小さな外径を有する取り木処理対象の枝を選択し、前記枝の発根させる部位を環状に剥皮して環状剥皮部位を形成する工程と、
前記取り木用具を、前記結合部を回転軸にして前記第１密閉カバ−部又は前記第２密閉カバ−部のいずれか一方を回転移動し、前記第１密閉カバ−部と前記第２密閉カバ−部の間に前記環状剥皮部位を挿入し、前記発根用充填材の圧力で、前記第１密閉カバ−部及び前記第２密閉カバ−部を前記枝に固定する工程と、
を含むことを特徴とする取り木方法。
【請求項１１】
前記枝が前記取り木用具で覆われた後に、前記回転移動を任意に実施し、前記環状剥皮部位の発根有無を目視確認することを特徴とする請求項１０に記載の取り木方法。
【請求項１２】
前記発根用充填材を充填する工程において、前記発根用充填材として裁断したワラを、前記第１空洞及び前記第２空洞に充填することを特徴とする請求項１０又は１１に記載の取り木方法。
【請求項１３】
前記ワラを充填する際に、オガクズを混合させて充填することを特徴とする請求項１２に記載の取り木方法。
【発明の詳細な説明】
【技術分野】
【０００１】
本発明は、樹木の繁殖方法のひとつである取り木法に用いる取り木用具及び取り木方法に関する。
【背景技術】
【０００２】
取り木法は比較的確実な樹木の発根方法であり、挿し木や接ぎ木が困難な品種であっても適用することができる。中でも空中取り木法（高取り法）は、望みの太さや形状の枝を選択して取り木が可能であるため、林業分野や個人の盆栽等の趣味の分野においても広く行われている。
【０００３】
高取り法では、発根させたい部位付近の枝を環状に剥皮し、発根用充填材として水で湿らせたミズゴケ等や用土を用いて覆い、その上から薄手のビニールシート等を被せる処理方法がとられている。数か月後、剥皮部位から十分発根してきていることを確認し、剥皮部位の下の部分で枝を切り、取り木を得る。
【０００４】
従来から一般的に行われている方法では、枝を環状に剥皮し、ビニールシート等をかけて紐やテープ等で固定するまでの一連の取り木処理に５分ほどの時間を要していた。取り木処理は、発根率との関係で、通常は１年のうちの限られた期間に行うものであり、数十本、数百本の取り木処理を一度に行うには、従来技術では手間や時間がかかり過ぎるという問題が生じていた。この問題を解決したのが、特許文献１に記載の発明であるワンタッチ取り木用具である。特許文献１の第２図等や考案の詳細な説明によると、枝を挟むための上下のくぼみと空気や水を通すための複数の穴を有した凹型容器を２つ組み合わせた用具を用い、あらかじめ中に発根用充填材となるミズゴケや用土を詰めておくことで、環状剥皮した枝にワンタッチで用具を取りつけられるようにし、取り木処理を簡単に行えるようにしている。
【０００５】
しかし特許文献１の発明では、取り木用具の壁面全体に通気・通水用の小孔が開いているため、内部に充填したミズゴケ等が乾燥し過ぎるという問題があった。発根用充填材となるミズゴケ等が乾燥し過ぎると植物の発根に影響する。ミズゴケ等が乾燥し過ぎないようにするために、定期的にミズゴケ等の水分量を目視でチェックし、必要であれば水やりが必要となる。栽培者の監視負担や手間がかかり過ぎるという問題があった。
【０００６】
特許文献１においては、第３図、第４図等に示されているように、発根用充填材となるミズゴケ等の乾燥防止のため、雨水などを取り木用具の空洞内部に多く取り込むように構造上の工夫がされたり、取り込んだ雨水を貯蔵しておくタンクが取り木用具の外壁に設けられたりしている。しかし取り木用具の構造を工夫した場合でも、壁面に穴がある以上、水分の蒸発は抑えられず、雨水貯蔵タンクを取り木用具の外壁に設けた場合は、水が溜まると重量が増し、枝に余計な負担がかかってしまうことは避けられなかった。
【先行技術文献】
【特許文献】
【０００７】
【特許文献１】実開昭５６−０４１５６２号
【発明の概要】
【発明が解決しようとする課題】
【０００８】
本発明は上記の問題に着目してなされたものであって、密閉のレベルを高め、内部に充填した発根用充填材の適度な水分量を保つことができ、かつ、ワンタッチで取り木処理を行える取り木用具及び取り木方法を提供することを目的とする。
【課題を解決するための手段】
【０００９】
上記目的を達成するために、本発明の第１の態様は、（ａ）第１天板、第１天板に対向した第１底板、第１天板と第１底板の間に第１空洞を設けるように、第１天板と第１底板を接続する第１側壁板を有する第１密閉カバ−部と、（ｂ）第１天板と線状に接触可能な位置、形状及び厚みの接触端部を有する第２天板、第１底板と線状に接触可能な位置、形状及び厚みの接触端部を有する第２底板と、第１側壁板の外周面と一様な連続面を形成可能な外周面を有し、第２天板と第２底板の間に第１空洞と連続可能な第２空洞を設けるように、第２天板と第２底板を接続する第２側壁板を有する第２密閉カバ−部と、（ｃ）第１側壁板の連結側端部と第２側壁板の連結側端部を回転移動可能に連結する結合部とを備える取り木用具であることを要旨とする。本発明の第１の態様に係る取り木用具は、（ｄ）第１天板に第１の切り欠きが、第１底板に第２の切り欠きが、第２天板に第３の切り欠きが、第２底板に第４の切り欠きがそれぞれ設けられ、（ｅ）結合部を回転軸にして第１密閉カバ−部又は第２密閉カバ−部のいずれか一方を回転移動して開腹状態とすることで、第１空洞及び第２空洞に発根用充填材を充填し、第１密閉カバ−部と第２密閉カバ−部の間に、第１及び第３の切り欠きで構成される天孔の内径、並びに第２及び第４の切り欠きで構成される底孔の内径よりも小さな外径を有する取り木処理対象の枝を挿入し、発根用充填材の圧力で、第１密閉カバ−部及び第２密閉カバ−部を枝に固定することを特徴とする。
【００１０】
本発明の第２の態様は、（ａ）第１天板、第１天板に対向した第１底板、第１天板と第１底板の間に第１空洞を設けるように、第１天板と第１底板を接続する第１側壁板を有する第１密閉カバ−部と、第１天板と線状に接触可能な位置、形状及び厚みの接触端部を有する第２天板、第１底板と線状に接触可能な位置、形状及び厚みの接触端部を有する第２底板と、第１側壁板の外周面と一様な連続面を形成可能な外周面を有し、第２天板と第２底板の間に第１空洞と連続可能な第２空洞を設けるように、第２天板と第２底板を接続する第２側壁板を有する第２密閉カバ−部と、第１側壁板の一部と第２側壁板の一部を回転移動可能に連結する結合部とを備え、第１天板に第１の切り欠きが、第１底板に第２の切り欠きが、第２天板に第３の切り欠きが、第２底板に第４の切り欠きがそれぞれ設けられた取り木用具を用いた取り木方法である。本発明の第２の態様は、（ｂ）発根用充填材を水に浸漬する工程と、（ｃ）第１空洞及び第２空洞に発根用充填材を充填する工程と、（ｄ）第１及び第３の切り欠きで構成される天孔の内径、並びに第２及び第４の切り欠きで構成される底孔の内径よりも小さな外径を有する取り木処理対象の枝を選択し、枝の発根させる部位を環状に剥皮して環状剥皮部位を形成する工程と、（ｅ）取り木用具を、結合部を回転軸にして第１密閉カバ−部又は第２密閉カバ−部のいずれか一方を回転移動し、第１密閉カバ−部と第２密閉カバ−部の間に環状剥皮部位を挿入し、発根用充填材の圧力で、第１密閉カバ−部及び第２密閉カバ−部を枝に固定する工程と、を含むことを特徴とする取り木方法であることを要旨とする。
【００１１】
本発明によれば、密閉のレベルを高め、内部に充填した発根用充填材の適度な水分量を保つことができ、かつ、ワンタッチで取り木処理を行える取り木用具及び取り木方法を提供することができる。
【図面の簡単な説明】
【００１２】
【図１】図１（ａ）は本発明の第１実施形態に係る取り木用具１１の閉状態における上方斜視図であり、図１（ｂ）は本発明の第１実施形態に係る取り木用具１１の開状態における上方斜視図である。
【図２】取り木処理の準備段階における、本発明の第１実施形態に係る取り木用具の開状態の上方斜視図である。
【図３】本発明の第１実施形態に係る取り木用具１１の使用状態を示したモデル図である。
【図４】図４（ａ）は本発明の第１実施形態の第１変形例に係る取り木用具１１ａ１の閉状態における上方斜視図であり、図４（ｂ）は本発明の第１実施形態の第２変形例に係る取り木用具１１ａ２の閉状態における上方斜視図である。
【図５】図５（ａ）は本発明の第２実施形態に係る取り木用具１１ｂの変形前の閉状態における上方斜視図であり、図５（ｂ）は本発明の第２実施形態に係る取り木用具１１ｂの変形前の閉状態における平面図である。
【図６】図６（ａ）は本発明の第２実施形態に係る取り木用具１１ｂの変形後の閉状態における上方斜視図であり、図６（ｂ）は本発明の第２実施形態に係る取り木用具１１ｂの変形後の閉状態における平面図である。
【図７】本発明の第３実施形態に係る取り木用具１１ｃの閉状態における上方斜視図である。
【図８】図８（ａ）は本発明の第４実施形態に係る取り木用具１１ｄの閉状態における上方斜視図であり、図８（ｂ）は本発明の第４実施形態に係る取り木用具の第１密閉カバ−部を、第１側壁板側から見た図である。
【図９】本発明の第５実施形態に係る取り木用具１１ｅの閉状態における上方斜視図である。
【図１０】本発明の第６実施形態に係る取り木用具１１ｆの閉状態における上方斜視図である。
【発明を実施するための形態】
【００１３】
以下において、図面を参照して、本発明の第１〜第６実施形態及びその変形例、実施例、参考例を説明し、密閉のレベルを高め、内部に充填した発根用充填材の適度な水分量を保つことができ、かつ、ワンタッチで取り木処理を行える取り木用具及び取り木方法の構造及び方法を説明する。以下の図面の記載において、同一又は類似の部分には同一又は類似の符号を付している。ただし、図面は模式的なものであり、厚みと平面寸法との関係、各部材の大きさの比率等は現実のものとは異なることに留意すべきである。したがって、具体的な厚み、寸法、大きさ等は以下の説明から理解できる技術的思想の趣旨を参酌してより多様に判断すべきものである。又、図面相互間においても互いの寸法の関係や比率が異なる部分が含まれていることは勿論である。
【００１４】
又、以下に示す第１〜第６実施形態及びその変形例、実施例、参考例は、本発明の技術的思想を具体化するための装置及び方法を例示するものであって、本発明の技術的思想は、構成部品の材質、形状、構造、配置等を下記のものに特定するものではない。本発明の技術的思想は、第１〜第６実施形態及びその変形例、実施例、参考例で記載された内容に限定されず、特許請求の範囲に記載された請求項が規定する技術的範囲内において、種々の変更を加えることができる。
【００１５】
（第１実施形態）
図１（ａ）及び（ｂ）に示すように、本発明の第１実施形態に係る取り木用具１１は、第１密閉カバ−部２１と、第１密閉カバ−部２１と鏡像関係の立体形状を有する第２密閉カバ−部２３と、第１密閉カバ−部２１の連結側端部と第２密閉カバ−部２３の連結側端部を回転移動可能に連結する結合部４１を備える。第１密閉カバ−部２１は、外周側が半円状の第１天板と、この第１天板に対向し、外周側が半円状の第１底板と、第１天板と第１底板の間に第１空洞を設けるように、第１天板と第１底板を接続し、半円状の外周に沿った円弧状の第１側壁板を有する樋状の形状である。「連結側端部」は樋の長手方向に沿った一方の端部であり、連結側端部に対向する側の端部が「開閉側端部」として定義される。第１天板の半円の弧に対する弦（直径）の部分に接触端部が設けられ、第１底板の半円の弧に対する弦の部分に接触端部が設けられている。第２密閉カバ−部２３は、外周側が半円状で、第１天板と線状に接触可能な接触端部を有する第２天板と、外周側が半円状で、第１底板と線状に接触可能な接触端部を有する第２底板と、第２天板と第２底板を接続し、半円状の外周に沿った円弧状の第２側壁板を有する。第２天板の半円の弧に対する弦の部分に接触端部が設けられ、第２底板の半円の弧に対する弦の部分に接触端部が設けられている。「線状に接触」とは巨視的な意味で有り、実際にはそれぞれの接触端部には厚み（線の太さ）が存在するので、第２天板の接触端部と第１天板の接触端部は互いに面状に接触することは勿論である。同様に線の太さが存在するので、第２底板の接触端部と第１底板の接触端部は互いに面状に接触する。第２密閉カバ−部２３の第２側壁板は、第１密閉カバ−部２１の第１側壁板の外周面と一様な連続面を形成可能な曲面を有している。第２密閉カバ−部２３も樋状の形状であるので、第２天板と第２底板の間に第１空洞と連続可能な第２空洞を設けるように、第２天板と第２底板を接続している。第２天板の接触端部が、第１天板と線状に接触可能なように、第２天板の接触端部に接触する第１天板の接触端部は、第２天板の接触端部と鏡像関係の位置、形状及び厚みを有している。
【００１６】
同様に、第２底板の接触端部が、第１底板と線状に接触可能なように、第２底板の接触端部に接触する第１底板の接触端部は、第２底板の接触端部と鏡像関係の位置、形状及び厚みを有している。第１密閉カバ−部２１の第１天板に半円状の第１の切り欠き４３ａが、第１底板に半円状の第２の切り欠き４５ａがそれぞれ設けられている。第２密閉カバ−部２３の第２天板に半円状の第３の切り欠き４３ｂが、第２底板に半円状の第４の切り欠き４５ｂがそれぞれ設けられている。第１実施形態に係る取り木用具１１は、結合部４１を軸にして第１密閉カバ−部２１又は第２密閉カバ−部２３のいずれか一方を回転移動することで、図１（ａ）に示す「閉状態」と図１（ｂ）に示す「開状態」とを任意にとることができる。
【００１７】
「閉状態」は、第１密閉カバ−部２１の第１側壁板と第２密閉カバ−部２３の第２側壁板が一様な連続面として周回することにより構成される状態である。「閉状態」においては、第１密閉カバ−部２１の第１天板と第２密閉カバ−部２３の第２天板が、同一水平レベルで結合して円筒の上端面を構成している。又、第１密閉カバ−部２１の第１底板と第２密閉カバ−部２３の第２底板が同一水平レベルで結合して、円筒の下端面を構成している。「閉状態」では、図１（ａ）に示すように側壁面を構成する第１密閉カバ−部２１及び第２密閉カバ−部２３の円周面が連続した円筒状であり、円筒の上端面に天孔４３が開孔し、円筒の下端面に底孔４５が開孔しているので、密閉状態に近い構造であるが厳密には開放状態である。一方、図１（ｂ）に示すように、「開状態」では、第１密閉カバ−部２１の第１側壁板と第２密閉カバ−部２３の第２側壁板が結合部４１のみで接続した開腹状態である。第１実施形態に係る取り木用具１１は、開状態から閉状態とすることで、図３に示すように天孔４３及び底孔４５を介して取り木処理対象の枝を収容することができる。
【００１８】
第１実施形態に係る取り木用具１１は、天孔４３及び底孔４５を介して取り木処理対象の枝が第１密閉カバ−部２１と第２密閉カバ−部２３が構成する空洞部に収容されることにより、天孔４３及び底孔４５の一部が閉じられ、密閉のレベルが高められた閉状態となる。天孔４３及び底孔４５の口径の選択の自由度を増して密閉のレベルを適切にすることを容易にするように、天孔４３の口径及び底孔４５の口径を、それぞれ複数段に設定し、複数の取り木用具１１のセットを用意しておくのが好ましい。複数の取り木用具１１のセットの内から、対象とする取り木処理対象の枝の太さに適合した天孔４３の口径及び底孔４５の口径を適宜選ぶことにより、取り木処理対象の枝と天孔４３及び底孔４５との間の隙間を適切に調整可能である。又、天孔４３の口径及び底孔４５の口径を同一に選ぶ必要もなく、取り木期間中の枝の太さの変化を考慮して、天孔４３の口径を底孔４５の口径よりも、ごく僅か小さくしてもよい。逆に、取り木用具１１が木からずり落ちるのを防止するためには、天孔４３の口径を底孔４５の口径よりも大きくし、底孔４５の口径と枝との隙間を０．５〜２ｍｍ程度と小さめに設定することも有効である。天孔４３の口径を底孔４５の口径よりも小さくし、天孔４３の口径と枝との隙間が０．５〜２ｍｍ程度と小さめにする設計でも、取り木用具１１が木からずり落ちるのを防止できる。
【００１９】
図１（ｂ）に示すように、第１密閉カバ−部２１及び第２密閉カバ−部２３は、空洞部を有する円柱（円筒）を、円柱の長手方向の中心線を含む切断面で、長さ方向に平行にちょうど半分になるように割り、上面と底面にそれぞれ半円状の切り欠きを設けたような形状である。「第１側壁板」とは、その割られた立体の第１密閉カバ−部の外形のうち、第１天板と第１底板を接続する板状の部分と定義する。「第２側壁板」も同様であり、割られた立体の第２密閉カバ−部の外形のうち、第２天板と第２底板を接続する板状の部分と定義する。
【００２０】
図１（ｂ）に示すように、第１密閉カバ−部２１は半円状の上面である上部の一部に半円状の第１の切り欠き４３ａを有し、第２密閉カバ−部２３は半円状の上面である上部の一部に半円状の第３の切り欠き４３ｂを有する。図１（ｂ）に示すような開状態から図１（ａ）に示すような閉状態の態様へ、取り木用具１１の全体の形態が変化すると、取り木用具１１の上部には第１の切り欠き４３ａ及び第３の切り欠き４３ｂで構成された天孔４３が現れる。取り木対象の枝の太さを１ｃｍとした場合、天孔４３の直径は１．０５〜２．０ｃｍが好ましく、より好ましくは１．０５〜１．５ｃｍである。更により好ましくは、蟻の営巣等を防ぐ観点からは、１．０５〜１．２ｃｍである。発根率との関係から、取り木法に用いる枝として１、２年目くらいの若い枝を選択することが多く、その枝の太さを考慮して天孔４３の直径が算出された。天孔４３の直径と枝の径との差が小さ過ぎると、枝への取り木用具１１の固定度合いは増すが、天孔４３の縁への接触で枝を傷つける原因となり、又、雨水が取り木用具１１内部に流入したり、新鮮な空気が通気することを妨げてしまうことにもなる。一方、天孔４３の直径と枝の外径との差が大き過ぎると、取り木用具１１が枝からずり落ちてしまうことにつながる。実験の結果、枝の太さと孔の隙間が０．５〜２ｍｍ程度となるのが、天孔４３の直径としてより好ましいことが分かった。
【００２１】
底孔４５も同様であり、図１（ｂ）に示すように、第１密閉カバ−部２１は半円状の底面である下部の一部に半円状の第２の切り欠き４５ａを有し、第２密閉カバ−部２３は半円状の底面である下部の一部に半円状の第４の切り欠き４５ｂを有し、図１（ａ）に示すような閉状態の態様へ取り木用具１１の全体の形態が変化すると、取り木用具１１の下部には第２の切り欠き４５ａ及び第４の切り欠き４５ｂで構成された底孔４５が表れる。取り木対象の枝の太さを１ｃｍとした場合、底孔４５の直径は１．０５〜２．０ｃｍが好ましく、より好ましくは１．０５〜１．５ｃｍである。更により好ましくは、蟻の営巣等を防ぐ観点からは、１．０５〜１．２ｃｍである。発根率との関係から、取り木法に用いる枝として１、２年目くらいの若い枝を選択することが多く、その枝の太さを考慮して底孔４５の直径が算出された。底孔４５の直径と枝の径との差が小さ過ぎると、枝への取り木用具１１の固定度合いは増すが、底孔４５の縁への接触で枝を傷つける原因となり、又、雨水が取り木用具１１内部から流出することを妨げてしまい、不要な水分が排出できないことにもつながる。又、十分な通気を妨げることにもつながる。一方、底孔４５の直径と枝の径との差が大き過ぎると、取り木用具１１が枝からずり落ちやすくなってしまう。実験の結果、枝の太さと孔の隙間が０．５〜２ｍｍ程度となるのが、底孔４５の直径としてより好ましいことが分かった。
【００２２】
取り木用具１１が枝からずり落ちるのを防止するには、底孔４５の直径を枝の太さとの差を０．５〜１．０ｍｍと小さめに設定し、天孔４３の直径と枝の径との差を１．０〜２ｍｍとし、底孔４５の直径を天孔４３の直径よりも小さくしてもよい。取り木用具１１の開状態の開き度合いは任意で調節できるのであって、図１（ｂ）に示す開き度合いに限定されるものではない。
【００２３】
第１密閉カバ−部２１及び第２密閉カバ−部２３は結合部４１によって結合されている。第１密閉カバ−部２１及び第２密閉カバ−部２３は結合されていればよいのであって、第１密閉カバ−部２１及び第２密閉カバ−部２３の成形の段階から結合されていてもよいし、第１密閉カバ−部２１及び第２密閉カバ−部２３を別個で成形した後に何らかのジョイント等を用いて結合させる方法でもその他の方法で結合されていてもよい。
【００２４】
図１（ａ）に示すように、第１密閉カバ−部２１の第１側壁板の開閉側端部の外壁面の一部には枠状の第１固定手段３１が設けられ、第２密閉カバ−部２３の第２側壁板の開閉側端部の外壁面の一部には棒状の第２固定手段３３が設けられている。第２固定手段３３の棒状部分の外形寸法は、第１固定手段３１の枠の内径寸法に対し、１０〜１００ミクロンのクリアランスを介して一致している。図１（ｂ）に示すように取り木用具１１が閉状態となると、第１固定手段３１の枠が第２固定手段３３の棒状部分に引っ掛かるようにして嵌り、第１密閉カバ−部２１と第２密閉カバ−部２３とを固定するため、ワンタッチで閉状態を維持することができ、ワンタッチで開状態に戻すことができる。第１密閉カバ−部２１と第２密閉カバ−部２３とを固定するための切替留め具は、第１固定手段３１及び第２固定手段３３のように嵌め合い構造に限らない。第１密閉カバ−部２１と第２密閉カバ−部２３とをワンタッチで開閉し、固定して、開閉状態の束縛を切り替えることができるのであれば、一方を他方に引っ掛けるフック構造、スナップボタン構造、メタルバックル構造、結束ベルト構造、面ファスナー構造等でも構わない。更に、第１密閉カバ−部２１と第２密閉カバ−部２３とをワンタッチで開閉状態の束縛を切り替えることができるのであれば、マグネットを使用して磁力で留める構造等でもよい。
【００２５】
図１（ａ）及び（ｂ）に示す取り木用具１１の形状は円柱形であるが、球形やその他の形状でも構わない。取り木が完了した後に土に植え込むことや根が斜め下方に伸びることを考えると、円柱形あるいは球形が扱いやすさの点で望ましい。図１（ａ）及び（ｂ）に示すように円柱形を採用した際には、直径３．０〜５．０ｃｍ、かつ、長さ７．０〜９．０ｃｍが望ましい。より好ましくは直径３．５〜４．５ｃｍ、かつ、長さ７．５〜８．５ｃｍである。根の張りやすさや発根用充填材の量、重量による枝への負担、枝の剥皮部分を十分に覆うこと等を総合的に考慮した結果、発明者らが実験を重ねて算出した数値である。
【００２６】
第１密閉カバ−部２１及び第２密閉カバ−部２３の素材については、プラスチックや薄型の金属、木材等、あらゆる素材を材料としてとり得る。しかし、重量や植物体への影響を考慮すると、金属は好ましくない。又、繰り返しの使用に耐えるためには軽量なプラスチック、例えばポリ塩化ビニル等を主原料としたプラスチックが好ましい。特にポリ塩化ビニルは、比較的柔らかい素材のため、枝に接触した際に枝の表皮を傷つけにくい点で好適である。ポリ塩化ビニルを素材として用いる際は、通常使用される可塑剤を添加してもよい。可塑剤としてはフタル酸系、アジピン酸系、リン酸系、トリメリット酸系など数多くの種類が挙げられ、複数の可塑剤を添加してもよい。発明者の実験の結果、第１密閉カバ−部２１及び第２密閉カバ−部２３の素材としてシリコン樹脂を用いたところ、湿らせた発根用充填材を保持できなかったため、不適である。
【００２７】
更に、色については、発根率との関係で濃い色の方が好ましい。より好ましくは黒色である。発根率の観点からは、色の如何を問わず、透明又は半透明は避けた方が好ましい。色が薄く、例えば白色であっても、光の透過度が低い素材であることが好ましい。又、濃色であっても、赤や桃色等の鮮やかな色の物体は鳥獣が果実と見紛うことが知られており、現に発明者の実験においても鳥がくちばしでつつく行為が確認され、取り木用具が開状態となる危険性があったため、黒色、茶色、灰色等がより好ましい。
【００２８】
（第１実施形態に係る取り木用具の使用方法）
第１実施形態に係る取り木用具の使用方法を、図２及び図３を用いて以下に説明する。図２に示すように、第１実施形態に係る取り木用具を開状態にし、第１密閉カバ−部２１及び第２密閉カバ−部２３の内部に、水で湿らせたミズゴケを充填する。円周面を連続させた閉状態として使用した際に枝からずり落ちてきてしまうことを防ぐため、空洞部において枝との隙間が生じないように、ミズゴケは十分に充填する。図２では発根用充填材としてミズゴケを例として挙げたが、それに限定されず、その他の水分保持剤や水分保持用用土等であっても構わない。持ち運びの際は図１（ａ）に示すような閉状態とする。
【００２９】
実際に取り木対象の枝に第１実施形態に係る取り木用具１１を取り付けた状態が、図３に示す通りである。枝の末端から望みの長さの部分、即ち発根させる部位において、約２ｃｍ程度の幅で環状に剥皮し、その環状剥皮部位７３の全体と、その枝の幹側７１ａ及び枝の末端側７１ｂを各数ｃｍずつ含むように、あらかじめミズゴケ等の発根用充填材を充填させておいた第１実施形態に係る取り木用具１１を閉状態として覆い、設置完了である。天孔４３には枝の末端側７１ｂが、底孔４５には枝の幹側７１ａがそれぞれ収容され、第１密閉カバ−部２１と第２密閉カバ−部２３が構成する空洞部の密閉状態のレベルが高まる。充填しておいた発根用充填材は、取り木用具１１が開状態の場合に、第１空洞及び第２空洞からそれぞれはみ出る程度に十分に充填されており、取り木用具１１を閉状態とした際には、発根用充填材は取り木用具１１の空洞部に圧縮して押し込められた状態となる。圧縮された発根用充填材からは、元の形状に戻ろうとする力（圧力）が働く。取り木用具１１に枝を挟んで閉状態とした場合には、その圧力により枝が挟まれることになるので、天孔４３及び底孔４５と枝とが接触していなくとも、枝に取り木用具１１が保持されることになる。
【００３０】
第１実施形態に係る取り木用具１１を用いることで、環状剥皮から取り木用具１１の設置まで、特別な技術を有さない者でも３０秒〜１分程度で行うことができる。第１実施形態に係る取り木用具１１を用いた取り木処理においては、発根用充填材を充填した取り木用具１１と剥皮用具さえ持参すればよいこととなり、作業もスムーズに行える。
【００３１】
実験の結果、第１実施形態に係る取り木用具の使用方法は様々な樹木に適用できることが分かった。青森ヒバ等のヒノキ科の樹木、八重桜や枝垂れ桜等のサクラ属の樹木、イチイやヤマモミジ、カツラ等のその他の樹木において、一定の発根率で取り木を得ることに成功している。このうちの「八重桜」とは、八重咲きに花を付けるサクラの総称であり、別名「菊桜」とも呼ばれる。品種としては、カンザン（関山）やイチヨウ（一葉）、フゲンゾウ（普賢象）、ヤエベニシダレ（八重紅枝垂れ）等が挙げられる。第１実施形態に係る取り木用具の使用による取り木方法によれば、取り木に向かないとされる八重桜であっても、一定の発根率で取り木を得ることが可能である。
【００３２】
第１実施形態に係る取り木用具によると、十分な発根が確認される数か月間（取り木期間）に、空洞部に充填したミズゴケ等に水分を人為的に補充しなくとも、ミズゴケ等が乾燥し過ぎることはほとんどない。発根に必要なミズゴケ等の量や枝の太さ等から、取り木用具の寸法や雨水を取り入れる天孔及び底孔の直径の適切な数値が算出された上で、第１実施形態に係る取り木用具が設計されているためである。
【００３３】
又、特許文献１の考案に記載の取り木用具においては、通気・通水用の小孔が多数設けられていた。第１実施形態に係る取り木用具では、気密性の高い第１密閉カバ−部２１と第２密閉カバ−部２３を用いているので、通気・通水用の小孔は不要であり、製造コストや手間が大きく削減できる。更に、特許文献１の考案に記載の取り木用具においては、通気・通水用の小孔から水分が発散するため雨水貯蔵タンクが別途設けられていた。第１実施形態に係る取り木用具では、気密性の高い第１密閉カバ−部２１と第２密閉カバ−部２３を用いているので、取り木に必要な水分の維持が容易で雨水貯蔵タンク等の付加装置の取り付けも不要であるため、構造は簡単になり、製造コストや手間が大きく削減できる。
【００３４】
更に、第１実施形態に係る取り木用具はワンタッチで任意に開状態又は閉状態に変更できるため、取り木期間の初期段階から簡単に発根状態の確認をすることができる。特許文献１の考案の名称は「ワンタッチ取り木用具」であるが、特許文献１に記載の考案においては、「ワンタッチ取り木用具」をひも、はり金、ビニタイでしばる等の時間を要する手順が必要で有り、実際にはワンタッチで任意に開状態又は閉状態が実現できない。特にひも等でしばった場合は、ひも等の交換も必要になり、何度も発根状態を観察するのは手間がかかる作業となる。又、薄手のビニールシート等をかける従来の取り木の技術では、ビニールシートの上端と下端を紐やテープ等でしばってしまうことが多いため、途中で開封して発根状態を確認することは行わないのが通常である。第１実施形態に係る取り木用具は、第１固定手段と第２固定手段とでワンタッチで動作可能な切替留め具を構成しているので、必要に応じて短時間で開閉状態を切り替えることが可能である。このため、第１実施形態に係る取り木用具を用いると、何度でもワンタッチで開閉状態を切り替えて発根状態を観察可能であり、初期段階から発根の成否を随時確認するのが容易であり、効率的に取り木をつくることができる。
【００３５】
更に、第１実施形態に係る取り木用具は、風雨や鳥獣被害に強い。ビニールシート等をかける従来技術では、ビニールシートが風雨に曝されて破れてしまったり、カラス等による鳥獣被害を受けてしまったりする等の問題があった。第１実施形態に係る取り木用具を用いると、これらの問題はほとんど起こらないため、安定的に効率よく取り木を得ることができる。
【００３６】
更に、第１実施形態に係る取り木用具においては、天孔及び底孔の直径の適切な数値が算出されているため、発根用充填材となるミズゴケ等の中に蟻が営巣しにくい。特に枝と天孔及び底孔との隙間が０．５〜２ｍｍ程度であると、より蟻が営巣しにくい。ミズゴケ等に蟻が営巣すると、環状剥皮部位とミズゴケ等の間に隙間が空いてしまい、環状剥皮部位への水分等の供給が途絶え、発根率の低下を招く。第１実施形態に係る取り木用具を用いると、天孔又は底孔からの蟻の侵入を抑制することができるため、環状剥皮部位とミズゴケ等の間の隙間は生じにくい。
【００３７】
（第１実施形態に係る取り木方法）
第１実施形態に係る取り木方法は、取り木用具として図１に示すような第１実施形態に係る取り木用具１１と、発根用充填材の一例として稲ワラを用いる。第１実施形態に係る取り木方法においては、（ａ）発根用充填材である稲ワラを水に浸漬する工程と、（ｂ）第１空洞及び第２空洞に発根用充填材である稲ワラを充填する工程を含む。更に、図１に示すように、（ｃ）第１の切り欠き４３ａ及び第３の切り欠き４３ｂで構成される天孔４３の内径、並びに第２の切り欠き４５ａ及び第４の切り欠き４５ｂで構成される底孔４５の内径よりも小さな外径を有する取り木処理対象の枝を選択し、枝の発根させる部位を環状に剥皮して環状剥皮部位を形成する工程を含む。更に、（ｄ）取り木用具１１を、結合部４１を回転軸にして第１密閉カバ−部２１又は第２密閉カバ−部２３のいずれか一方を回転移動し、第１密閉カバ−部２１と第２密閉カバ−部２３の間に環状剥皮部位を挿入し、発根用充填材である稲ワラの圧力で、第１密閉カバ−部２１及び第２密閉カバ−部２３を枝に固定する工程とを含む。更に第１実施形態に係る取り木方法においては、枝が取り木用具１１で覆われた後であっても、開状態及び閉状態を任意に切り替えて、環状剥皮部位の発根有無を目視確認することができる。
【００３８】
第１実施形態に係る取り木方法で用いられるワラは、稲ワラを用いているが、稲の他、小麦等、イネ科植物の主に茎を乾燥させた物であればいずれでもよい。第１実施形態に係る取り木方法では、まず稲ワラを１〜５ｃｍの長さに裁断する。根の成長を阻害しない観点と稲ワラ自体の扱いやすさの観点から、１．５〜３ｃｍ程度がより好ましい。次に、裁断した稲ワラを水に５〜１０分間程度浸漬する。浸漬の方法は、裁断した稲ワラに水をかける方法でも、水の中に稲ワラを沈める方法でも、その他の方法でもいずれの方法でもよい。この際、浸漬する水にオーキシン系の成長促進ホルモン剤や２価鉄イオンを有効成分として含有する薬剤等を投与してもよい。
【００３９】
第１実施形態に係る取り木方法では、取り木対象の枝の末端から望みの長さの部分、即ち発根させる部位において、約２ｃｍ程度の幅で環状に剥皮し、環状剥皮部位を形成する。次に、環状剥皮部位の全体と、その枝の幹側及び枝の末端側を各数ｃｍずつ含むように、あらかじめ稲ワラを充填させておいた取り木用具１１を閉状態として覆い、設置完了である。図３で説明すると、稲ワラを充填した閉状態である取り木用具１１が、環状剥皮部位７３の全体と、その枝の幹側７１ａ及び枝の末端側７１ｂを各数ｃｍずつ覆っている。天孔４３には枝の末端側７１ｂが、底孔４５には枝の幹側７１ａがそれぞれ収容される。稲ワラは、取り木用具１１が開状態の場合に、第１空洞及び第２空洞からそれぞれはみ出る程度に十分に充填されており、取り木用具１１を閉状態とした際には、稲ワラは取り木用具１１の空洞部に圧縮して押し込められた状態となる。圧縮された稲ワラからは、元の形状に戻ろうとする力（圧力）が働く。取り木用具１１に枝を挟んで閉状態とした場合には、その圧力により枝が挟まれることになるので、天孔４３及び底孔４５と枝とが接触していなくとも、枝に取り木用具１１が保持されることになる。環状剥皮から取り木用具１１の設置までは、特別な技術を有さない者でも３０秒〜１分程度で行うことができる。第１実施形態に係る取り木方法では、稲ワラを充填した取り木用具１１と剥皮用具さえ持参すればよいこととなり、作業もスムーズに行える。
【００４０】
実験の結果、第１実施形態に係る取り木方法は様々な樹木に適用できることが分かった。青森ヒバ等のヒノキ科の樹木、八重桜や枝垂れ桜等のサクラ属の樹木、イチイやヤマモミジ、カツラ等のその他の樹木において、一定の発根率で取り木を得ることに成功している。このうちの「八重桜」とは、八重咲きに花を付けるサクラの総称であり、別名「菊桜」とも呼ばれる。品種としては、カンザン（関山）やイチヨウ（一葉）、フゲンゾウ（普賢象）、ヤエベニシダレ（八重紅枝垂れ）等が挙げられる。第１実施形態に係る取り木方法によれば、取り木に向かないとされる八重桜であっても、一定の発根率で取り木を得ることが可能である。
【００４１】
第１実施形態に係る取り木方法によると、十分な発根が確認される数か月間（取り木期間）に、空洞部に充填した稲ワラ等に水分を人為的に補充しなくとも、稲ワラ等が乾燥し過ぎることはほとんどない。発根に必要な稲ワラ等の量や枝の太さ等から、取り木用具の寸法や雨水を取り入れる天孔及び底孔の直径の適切な数値が算出された上で、取り木用具が設計されているためである。
【００４２】
又、特許文献１の考案に記載の取り木用具においては、通気・通水用の小孔が多数設けられ、又、雨水貯蔵タンクが別途設けられていたが、第１実施形態に係る取り木方法に用いる取り木用具ではそれらを設ける必要がないので、製造コストや手間が大きく削減できる。
【００４３】
更に、第１実施形態に係る取り木方法に用いる取り木用具はワンタッチで任意に開状態又は閉状態とできるため、取り木期間の初期段階から簡単に発根状態の確認をすることができる。薄手のビニールシート等をかける従来技術では、ビニールシートの上端と下端を紐やテープ等でしばってしまうことが多いため、途中で開封して発根状態を確認することは行わないのが通常である。第１実施形態に係る取り木方法では、初期段階から発根の成否が分かるため、効率的に取り木をつくることができる。
【００４４】
更に、第１実施形態に係る取り木方法では、風雨や鳥獣被害に遭いづらい。ビニールシート等をかける従来技術では、ビニールシートが風雨に曝されて破れてしまったり、カラス等による鳥獣被害を受けてしまったりする等の問題があった。第１実施形態に係る取り木方法では、これらの問題はほとんど起こらないため、安定的に効率よく取り木を得ることができる。
【００４５】
更に、第１実施形態に係る取り木方法では、発根用充填材となる稲ワラ等の中に蟻が営巣しにくい。稲ワラ等に蟻が営巣すると、環状剥皮部位と稲ワラ等の間に隙間が空いてしまい、環状剥皮部位への水分等の供給が途絶え、発根率の低下を招く。第１実施形態に係る取り木方法では、環状剥皮部位と稲ワラ等間の隙間は生じにくい。発明者が実験したところ、発根用充填材がミズゴケの取り木方法では１０回中３回蟻の営巣が確認されたが、発根用充填材が稲ワラの第１実施形態に係る取り木方法では１０回中１回蟻の営巣が確認された。発根用充填材の稲ワラにオガクズ、特にヒバのオガクズを用いて第１実施形態に係る取り木方法を行ったところ、１０回の取り木処理で１度も蟻の営巣が確認されなかった。
【００４６】
更に、第１実施形態に係る取り木方法では、発根用充填材にミズゴケを用いる方法よりも、早く確実に発根させることが可能である。同期間の取り木期間で実験したところ、発根用充填材にミズゴケを用いると発根前の細胞分裂段階であるのに対し、発根用充填材に稲ワラを用いた第１実施形態に係る取り木方法では既に数本〜１０数本発根している状況が確認された。更に、発根用充填材としては、ミズゴケより稲ワラの方が低コストで用意することが可能である。
【００４７】
以下に実施例を示して第１実施形態を具体的に説明するが、これは単に例示の目的で述べるものであり、以下の実施例に示した手法、手順等を含め、第１実施形態はこれらの実施例に限定されるものではない。
［実施例１］
【００４８】
第１実施形態に係る取り木方法の実施例１に用いる取り木用具として、図１（ａ）に示したような空洞状の第１密閉カバ−部と空洞状の第２密閉カバ−部とを備える円柱形状の取り木用具を用意した。実施例１に係る取り木用具は、結合部を回転軸にして第１密閉カバ−部又は第２密閉カバ−部のいずれか一方を回転移動し、開状態と閉状態とを任意に切り替えることが可能であった。開状態では、第１側壁板及び第２側壁板が結合部のみで連結している。閉状態では、第１側壁板及び第２側壁板を一様な連続面として、連続面からなる側壁面を周回させ、第１密閉カバ−部及び第２密閉カバ−部の外形が空洞を内蔵する円柱形状を構成する。この円柱の上端面に第１及び第３の切り欠きで構成された天孔が開孔し、円柱の第１底板に第２及び第４の切り欠きで構成された底孔が開孔する。
【００４９】
２０１９年６月中旬、実施例１に係る発根用充填材として稲ワラを用意し、１．５〜３ｃｍ程度に裁断し、水に１０分程度浸漬した。水に浸漬した稲ワラを、開状態である実施例１に係る取り木用具の第１密閉カバ−部及び第２密閉カバ−部の各内部に充填し、密閉のレベルの高い閉状態とした。
【００５０】
次に、実施例１に係る取り木処理対象の枝として、青森県某所に生育するバラ科のエゾノウワミズザクラ（Padus racemosa Gilib.）の直径約１ｃｍの枝を選択し、発根させたい部位を剪定用ハサミで幅２ｃｍ程度を環状に剥皮して、環状剥皮部位を形成した。エゾノウワミズザクラは青森県においては発見例が少なく、「最重要希少野生生物」に指定されている。次に、稲ワラが充填された取り木用具を一旦開状態とし、環状剥皮部位と環状剥皮部位の幹側及び末端側のそれぞれ約２ｃｍずつに対して、取り木用具を再び閉状態として覆い、エゾノウワミズザクラの枝を空洞部、天孔及び底孔に収容した。
【００５１】
その後の取り木期間中、取り木用具を数回開状態とし、発根状況を都度確認した。３０日間の取り木期間終了後、実施例１に係る取り木用具を開状態とし、環状剥皮部位から、約１ｃｍの根が１０本発根していることを目視で確認した。更に、環状剥皮部位に接していた部分の稲ワラを採取し、一般生菌数を検査したところ、７．３×１０８ＣＦＵ／ｇという結果であった。ＣＦＵ／ｇの「ＣＦＵ」とは、Ｃｏｌｏｎｙ Ｆｏｒｍｉｎｇ Ｕｎｉｔ（コロニーフォーミングユニット） の略称であり、菌量の単位である。
［参考例１］
【００５２】
第１実施形態に係る取り木方法の参考例１に用いる取り木用具として、実施例１に係る取り木用具と同様の構造、素材である取り木用具を用意した。２０１９年６月中旬、参考例１に係る発根用充填材として、ミズゴケを用意し、水に１０分程度浸漬した。水に浸漬したミズゴケを、開状態である参考例１に係る取り木用具の第１密閉カバ−部及び第２密閉カバ−部の各内部に充填し、密閉のレベルの高い閉状態とした。
【００５３】
次に、参考例１に係る取り木処理対象の枝として、実施例１に係る取り木用具と同様に、青森県某所に生育するバラ科のエゾノウワミズザクラ（Padus racemosa Gilib.）の直径約１ｃｍの枝を選択し、発根させたい部位を剪定用ハサミで幅２ｃｍ程度を環状に剥皮して、環状剥皮部位を形成した。次に、ミズゴケが充填された取り木用具を一旦開状態とし、環状剥皮部位と環状剥皮部位の幹側及び末端側のそれぞれ約２ｃｍずつに対して、取り木用具を再び閉状態として覆い、エゾノウワミズザクラの枝を空洞部、天孔及び底孔に収容した。
【００５４】
その後の取り木期間中、実施例１と同様に、取り木用具を数回開状態とし、発根状況を都度確認した。３０日間の取り木期間終了後、参考例１に係る取り木用具を開状態としたが、発根前の細胞分裂状態は目視で確認できたものの、環状剥皮部位からの発根は確認できなかった。更に、実施例１と同様に、環状剥皮部位に接していた部分のミズゴケを採取し、一般生菌数を実施例１と同様に検査したところ、１．２×１０７ＣＦＵ／ｇという結果であった。実施例１と参考例１の一般生菌数を比較すると、実施例１の方が参考例１よりも約６０倍の一般生菌数であった。
【００５５】
（第１実施形態の第１変形例）
図４（ａ）に示すように、第１実施形態の第１変形例に係る取り木用具１１ａ１は、第１密閉カバ−部２２と、第１密閉カバ−部２２と鏡像関係の立体形状を有する第２密閉カバ−部２４と、第１密閉カバ−部２２の連結側端部と第２密閉カバ−部２４の連結側端部を回転移動可能に連結する結合部４２を備える。第１密閉カバ−部２２は、ほぼ矩形の第１天板と、この第１天板に対向したほぼ矩形の第１底板と、第１天板と第１底板の間に第１空洞を設けるように、第１天板と第１底板を接続する３枚の矩形の第１側壁板を有する矩形の樋（Ｕ字管）状の形状である。第２密閉カバ−部２４は、第１天板と線状に接触可能な位置、形状及び厚みの接触端部を有するほぼ矩形の第２天板と、第１底板と線状に接触可能な位置、形状及び厚みの接触端部を有するほぼ矩形の２底板と、第１密閉カバ−部２２の第１側壁板の外周面と一様な連続面を形成可能で、第２天板と第２底板の間に第１空洞と連続可能な第２空洞を設けるように、第２天板と第２底板を接続する３枚の矩形の第２側壁板を備える矩形の樋状の形状である。
【００５６】
「連結側端部」は樋の長手方向に沿った一方の端部であり、連結側端部に対向する側の端部が「開閉側端部」として定義される。第１密閉カバ−部２２の第１側壁板の開閉側端部の外壁面の一部には枠状の第１固定手段３１が設けられ、第２密閉カバ−部２４の第２側壁板の開閉側端部の外壁面の一部には棒状の第２固定手段３３が設けられている。第１固定手段３１と第２固定手段３３とで、ワンタッチで開閉状態の束縛を切り替えられる切替留め具を構成している。第１密閉カバ−部２２は、第１天板に半円状の第１の切り欠きを有し、第１底板に半円状の第２の切り欠きを有する。第２密閉カバ−部２４は、第２天板に半円状の第３の切り欠きをゆうし、第２底板に半円状の第４の切り欠きを有する。
【００５７】
第１実施形態の第１変形例に係る取り木用具１１ａ１は、結合部４２を軸にして第１密閉カバ−部２２又は第２密閉カバ−部２４のいずれか一方を回転移動することで閉状態と、図示は省略するが、開状態とを任意にとることができる。閉状態は図４（ａ）に示すように、第１密閉カバ−部２２の３枚の第１側壁板の内の１枚と及び第２密閉カバ−部２４の３枚の第２側壁板の内の１枚が連続した面を構成するように結合し、６枚の側壁板が連続して周回する。６枚の側壁板が連続した周回面を構成することにより、第１密閉カバ−部２２及び第２密閉カバ−部２４の外形部の側壁面で囲まれた直方体状の空洞部が構成され、直方体の上端面に第１の切り欠き及び第３の切り欠きで構成された天孔４３が開孔され、直方体の下端面に第２の切り欠き及び第４の切り欠きで構成された底孔４５が開孔される。開状態の図示は省略するが、開状態では、第１側壁板及び第２側壁板が結合部４２のみで接続している。第１実施形態の第１変形例に係る取り木用具１１ａ１は、図４（ａ）に示す閉状態において、空洞部、天孔４３、底孔４５に、取り木処理対象の枝を密閉して収容することができる。
【００５８】
図４（ａ）に示すように、第１実施形態の第１変形例に係る取り木用具１１ａ１は、閉状態において直方体形状である。即ち、第１実施形態の第１変形例に係る取り木用具１１ａ１は、図１（ａ）に示す第１実施形態に係る取り木用具１１と比較して、閉状態の全体形状、言い換えると第１密閉カバ−部及び第２密閉カバ−部の形状が異なる。第１変形例に係る取り木用具１１ａ１の第１密閉カバ−部２２及び第２密閉カバ−部２４は、正方形の上端面及び下端面のそれぞれ対向する２辺の中間を通る線を境に、結合部４２を軸として開状態及び閉状態とを任意に取り得るのである。第１密閉カバ−部２２及び第２密閉カバ−部２４の機能や素材については、第１密閉カバ−部２１及び第２密閉カバ−部２３と同様である。第１実施形態の第１変形例に係る取り木用具１１ａ１のその他の構造である第１固定手段３１、第２固定手段３３、天孔４３、底孔４５、結合部４２の構造や機能等は、第１実施形態に係る取り木用具１１の相当する部分と同様であるため、説明を省略する。第１実施形態の第１変形例に係る取り木用具１１ａ１の使用方法は、第１実施形態に係る取り木用具１１と同様である。
【００５９】
第１実施形態の第１変形例に係る取り木用具１１ａ１を用いると、第１実施形態に係る取り木用具１１の場合と同様、環状剥皮から取り木用具１１ａ１の設置まで、特別な技術を有さない者でも３０秒〜１分程度で行うことができる。第１変形例に係る取り木用具１１ａ１を用いた取り木処理においては、発根用充填材を充填した取り木用具１１ａ１と剥皮用具さえ持参すればよいこととなり、作業もスムーズに行える。取り木用具１１ａ１を適用できる樹木の種類についても、第１実施形態に係る取り木用具１１の場合と同様であり、様々な樹木で一定の発根率で取り木を得ることに成功している。
【００６０】
第１変形例に係る取り木用具１１ａ１を用いると、第１実施形態に係る取り木用具１１の場合と同様、十分な発根が確認される数か月間（取り木期間）に、空洞部に充填したミズゴケ等の発根用充填材に水分を人為的に補充しなくとも、ミズゴケ等が乾燥し過ぎることはほとんどない。発根に必要なミズゴケ等の量や枝の太さ等から、取り木用具１１ａ１の寸法や雨水を取り入れる天孔４３及び底孔４５の直径の適切な数値が算出された上で、第１変形例に係る取り木用具１１ａ１が設計されているためである。
【００６１】
又、特許文献１の考案に記載の取り木用具においては、通気・通水用の小孔が多数設けられ、又、雨水貯蔵タンクが別途設けられていたが、第１変形例に係る取り木用具１１ａ１ではそれらを設ける必要がないので、製造コストや手間が大きく削減できる。
【００６２】
更に、第１変形例に係る取り木用具１１ａ１はワンタッチで任意に開状態又は閉状態とできるため、取り木期間の初期段階から簡単に発根状態の確認をすることができる。薄手のビニールシート等をかける従来技術では、ビニールシートの上端と下端を紐やテープ等でしばってしまうことが多いため、途中で開封して発根状態を確認することは行わないのが通常である。第１変形例に係る取り木用具１１ａ１を用いると初期段階から発根の成否が分かるため、効率的に取り木をつくることができる。
【００６３】
更に、第１変形例に係る取り木用具１１ａ１は、風雨や鳥獣被害に強い。ビニールシート等をかける従来技術では、ビニールシートが風雨に曝されて破れてしまったり、カラス等による鳥獣被害を受けてしまったりする等の問題があった。第１変形例に係る取り木用具１１ａ１を用いると、これらの問題はほとんど起こらないため、安定的に効率よく取り木を得ることができる。
【００６４】
更に、第１変形例に係る取り木用具１１ａ１においては、天孔４３及び底孔４５の直径の適切な数値が算出されているため、発根用充填材となるミズゴケ等の中に蟻が営巣しにくい。ミズゴケ等に蟻が営巣すると、環状剥皮部位とミズゴケ等の間に隙間が空いてしまい、環状剥皮部位への水分等の供給が途絶え、発根率の低下を招く。第１変形例に係る取り木用具１１ａ１を用いると、天孔４３及び底孔４５からの蟻の侵入を抑制することができるため、環状剥皮部位とミズゴケ等の間の隙間は生じにくい。
【００６５】
（第１実施形態の第２変形例）
図４（ｂ）に示すように、第１実施形態の第２変形例に係る取り木用具１１ａ２は、空洞状の第１密閉カバ−部２２ａと、第１密閉カバ−部２２ａと鏡像関係の立体形状を有する第２密閉カバ−部２４ａと、第１密閉カバ−部２２ａの連結側端部と第２密閉カバ−部２４ａの連結側端部を回転移動可能に連結する結合部４２ａを備える。第１密閉カバ−部２２ａは、三角形の第１天板と、この第１天板に対向した三角形の第１底板と、第１天板と第１底板の間に第１空洞を設けるように、第１天板と第１底板を接続する２枚の矩形の第１側壁板を有する樋状（Ｖ字管）の形状である。第２密閉カバ−部２４ａは、第１天板と線状に接触可能な位置、形状及び厚みの接触端部を有する三角形の第２天板と、第１底板と線状に接触可能な位置、形状及び厚みの接触端部を有する三角形の２底板と、第１密閉カバ−部２２ａの第１側壁板の外周面と一様な連続面を形成可能で、第２天板と第２底板の間に第１空洞と連続可能な第２空洞を設けるように、第２天板と第２底板を接続する２枚の矩形の第２側壁板を備える樋状の形状である。「連結側端部」は樋の長手方向に沿った一方の端部であり、連結側端部に対向する側の端部が「開閉側端部」として定義される。第１密閉カバ−部２２ａの第１側壁板の開閉側端部の外壁面の一部には枠状の第１固定手段３１が設けられ、第２密閉カバ−部２４ａの第２側壁板の開閉側端部の外壁面の一部には棒状の第２固定手段３３が設けられている。第１固定手段３１と第２固定手段３３とで、ワンタッチで開閉状態の束縛を切り替えられる切替留め具を構成している。
【００６６】
第１密閉カバ−部２２ａは、第１天板に半円状の第１の切り欠きを有し、第１底板に半円状の第２の切り欠きを有する。第２密閉カバ−部２４ａは、第２天板に半円状の第３の切り欠きを有し、第２底板に半円状の第４の切り欠きを有する。第２変形例に係る取り木用具１１ａ２は、結合部４２ａを軸にして第１密閉カバ−部２２ａ又は第２密閉カバ−部２４ａのいずれか一方を回転移動することで、閉状態と、開状態とを任意にとることができる。「閉状態」は、図４（ｂ）に示すように、第１密閉カバ−部２２ａの２枚の第１側壁板の内の１枚と第２密閉カバ−部２４ａの２枚の第２側壁板の内の１枚が連続した面を構成するように、４枚の側壁板が周回し、直方体の側面を構成している。第１密閉カバ−部２２ａ及び第２密閉カバ−部２４ａで囲まれた直方体の上端面には第１の切り欠き及び第３の切り欠きで構成された天孔４３が開孔され、直方体の下端面には、第２の切り欠き及び第４の切り欠きで構成された底孔４５が開孔される。開状態の図示は省略するが、第１側壁板及び第２側壁板が結合部４２ａのみで連結している。第２変形例に係る取り木用具１１ａ２は、図３に示したのと同様に、天孔４３及び底孔４５を介して、取り木処理対象の枝をほぼ密閉して収容することにより、第１密閉カバ−部２２ａ及び第２密閉カバ−部２４ａで囲まれた直方体が密閉のレベルの高い閉状態になる。
【００６７】
図４（ｂ）に示す第２変形例に係る取り木用具１１ａ２は、図１（ａ）に示す第１実施形態に係る取り木用具１１の第１密閉カバ−部２１及び第２密閉カバ−部２３とは、第１密閉カバ−部２２ａ及び第２密閉カバ−部２４ａの立体形状がそれぞれ異なる。第２変形例に係る取り木用具１１ａ２の第１密閉カバ−部２２ａ及び第２密閉カバ−部２４ａは、正方形の上端面及び下端面のそれぞれの対角線を境に、結合部４２ａを軸として開状態及び閉状態とを任意に取り得るのである。第１密閉カバ−部２２ａ及び第２密閉カバ−部２４ａの機能や素材については、第１密閉カバ−部２１及び第２密閉カバ−部２３と同様である。第２変形例に係る取り木用具１１ａ２のその他の構造である第１固定手段３１、第２固定手段３３、天孔４３、底孔４５、結合部４２ａの構造や機能等は、第１実施形態に係る取り木用具１１の相当する部分と同様であるため、説明を省略する。第２変形例に係る取り木用具１１ａ２の使用方法は、第１実施形態に係る取り木用具１１と同様である。
【００６８】
第２変形例に係る取り木用具１１ａ２を用いると、第１実施形態に係る取り木用具１１の場合と同様、環状剥皮から取り木用具１１ａ２の設置まで、特別な技術を有さない者でも３０秒〜１分程度で行うことができる。第２変形例に係る取り木用具１１ａ２を用いた取り木処理においては、発根用充填材を充填した取り木用具１１ａ２と剥皮用具さえ持参すればよいこととなり、作業もスムーズに行える。取り木用具１１ａ２を適用できる樹木の種類についても、第１実施形態に係る取り木用具１１の場合と同様であり、様々な樹木で一定の発根率で取り木を得ることに成功している。
【００６９】
第２変形例に係る取り木用具１１ａ２を用いると、第１実施形態に係る取り木用具１１の場合と同様、十分な発根が確認される数か月間（取り木期間）に、空洞部に充填したミズゴケ等に水分を人為的に補充しなくとも、ミズゴケ等が乾燥し過ぎることはほとんどない。発根に必要なミズゴケ等の量や枝の太さ等から、取り木用具１１ａ２の寸法や雨水を取り入れる天孔４３及び底孔４５の直径の適切な数値が算出された上で、第２変形例に係る取り木用具１１ａ２が設計されているためである。
【００７０】
又、特許文献１の考案に記載の取り木用具においては、通気・通水用の小孔が多数設けられ、又、雨水貯蔵タンクが別途設けられていたが、第２変形例に係る取り木用具１１ａ２ではそれらを設ける必要がないので、製造コストや手間が大きく削減できる。
【００７１】
更に、第２変形例に係る取り木用具１１ａ２はワンタッチで任意に開状態又は閉状態とできるため、取り木期間の初期段階から簡単に発根状態の確認をすることができる。薄手のビニールシート等をかける従来技術では、ビニールシートの上端と下端を紐やテープ等でしばってしまうことが多いため、途中で開封して発根状態を確認することは行わないのが通常である。第２変形例に係る取り木用具１１ａ２を用いると初期段階から発根の成否が分かるため、効率的に取り木をつくることができる。
【００７２】
更に、第２変形例に係る取り木用具１１ａ２は、風雨や鳥獣被害に強い。ビニールシート等をかける従来技術では、ビニールシートが風雨に曝されて破れてしまったり、カラス等による鳥獣被害を受けてしまったりする等の問題があった。第２変形例に係る取り木用具１１ａ２を用いると、これらの問題はほとんど起こらないため、安定的に効率よく取り木を得ることができる。
【００７３】
更に、第２変形例に係る取り木用具１１ａ２においては、天孔４３及び底孔４５の直径の適切な数値が算出されているため、発根用充填材となるミズゴケ等の中に蟻が営巣しにくい。ミズゴケ等に蟻が営巣すると、環状剥皮部位とミズゴケ等の間に隙間が空いてしまい、環状剥皮部位への水分等の供給が途絶え、発根率の低下を招く。第２変形例に係る取り木用具１１ａ２を用いると、天孔４３及び底孔４５からの蟻の侵入を抑制することができるため、環状剥皮部位とミズゴケ等の間の隙間は生じにくい。
【００７４】
（第２実施形態）
図５（ａ）に示すように、本発明の第２実施形態に係る取り木用具１１ｂは、第１実施形態に係る取り木用具１１と同様な樋状の第１密閉カバ−部２１と、第１密閉カバ−部２１と鏡像関係の立体形状を有する樋状の第２密閉カバ−部２３と、第１密閉カバ−部２１の連結側端部と第２密閉カバ−部２３の連結側端部を回転移動可能に連結する結合部４１を備える。「連結側端部」は樋の長手方向に沿った一方の端部であり、連結側端部に対向する側の端部が「開閉側端部」として定義される。第１密閉カバ−部２１の第１側壁板の開閉側端部の外壁面の一部には枠状の第１固定手段３１が設けられ、第２密閉カバ−部２３の第２側壁板の開閉側端部の外壁面の一部には棒状の第２固定手段３３が設けられている。第１固定手段３１と第２固定手段３３とで、ワンタッチで開閉状態の束縛を切り替えられる切替留め具を構成している。第１密閉カバ−部２１は、第１天板に半円状の第１の切り欠きを有し、第１底板に半円状の第２の切り欠きを有する。第２密閉カバ−部２３は、第２天板に半円状の第３の切り欠きを有し、第２底板に半円状の第４の切り欠きを有する。第２実施形態に係る取り木用具１１ｂは、結合部４１を軸にして第１密閉カバ−部２１又は第２密閉カバ−部２３のいずれか一方を回転移動することで、閉状態と開状態とを任意にとることができる。「閉状態」では、図５（ａ）に示すように、第１密閉カバ−部２１の第１側壁板及び第２密閉カバ−部２３の第２側壁板が連続した一様な周回面を構成して円筒状となる。第１密閉カバ−部２１及び第２密閉カバ−部２３で囲まれた空洞が構成する円筒の上端面には、第１の切り欠き及び第３の切り欠きで構成された天孔４４ａ１が開孔され、円筒の下端面には第２の切り欠き及び第４の切り欠きで構成された底孔４４ｂ１が開孔される。図示は省略するが、第１側壁板及び第２側壁板が結合部４１のみで連結して「開状態」となる。第２実施形態に係る取り木用具１１ｂは、図３と同様に、閉状態において天孔４４ａ１及び底孔４４ｂ１を介して、取り木処理対象の枝を収容できる。
【００７５】
図５（ａ）に示すように、第２実施形態に係る取り木用具１１ｂは、更に、天孔４４ａ１の同心円上に上部に刻まれた、一定間隔で断続的な第１環状孔４６ａと、底孔４４ｂ１の同心円上に下部に刻まれた、一定間隔で断続的な第２環状孔４６ｂとを備える。第１環状孔４６ａ及び第２環状孔４６ｂはそれぞれ貫通した孔である。図３に示したのと同様に、天孔４４ａ１及び底孔４４ｂ１を介して取り木処理対象の枝を収容した段階では、未だ取り木用具１１ｂの空洞部は第１環状孔４６ａ及び第２環状孔４６ｂとで外部と通じている点が第１実施形態に係る取り木用具１１とは異なる。
【００７６】
即ち、第２実施形態に係る取り木用具１１ｂは、第１実施形態に係る取り木用具１１と比較して、第１環状孔４６ａ及び第２環状孔４６ｂの有無のみが構造的に異なる。第２実施形態に係る取り木用具１１ｂの第１密閉カバ−部２１及び第２密閉カバ−部２３の機能や素材については、第１実施形態に係る取り木用具１１の第１密閉カバ−部２１及び第２密閉カバ−部２３と同様である。天孔４４ａ１及び底孔４４ｂ１についても、図５（ａ）に示す閉状態においては、第１実施形態に係る取り木用具１１の天孔４３及び底孔４５と構造や機能は同様である。第２実施形態に係る取り木用具１１ｂのその他の構造である第１固定手段３１、第２固定手段３３、結合部４１の構造や機能等は、第１実施形態に係る取り木用具１１の相当する部分と同様である。
【００７７】
第１環状孔４６ａは、図５（ａ）及び（ｂ）においては、計８個の細長く湾曲した、同一サイズの小孔から成る。第１環状孔４６ａのそれぞれの小孔は、対向する湾曲した２つの長辺と、対向する２つの短辺から構成される。２つの長辺は長さが異なり、天孔４４ａ１に近い側を「第１湾曲長辺」、天孔４４ａ１から遠い側を「第２湾曲長辺」と定義すると、第１湾曲長辺の方が第２湾曲長辺より短い。８個の小孔のそれぞれの第１湾曲長辺と天孔４４ａ１の縁との距離は、互いに同一であり、天孔４４ａ１の同心円の円周上にそれぞれの第１湾曲長辺が位置することとなる。８個の小孔のそれぞれの第１湾曲長辺と天孔４４ａ１の縁との距離は、３．０〜７．０ｍｍ程度が好ましい。即ち、天孔４４ａ１の中心から、それぞれの第１湾曲長辺までは互いに同一距離となる。同様に、８個の小孔のそれぞれの第２湾曲長辺と天孔４４ａ１の縁との距離は、互いに同一であり、天孔４４ａ１の同心円の円周上にそれぞれの第２湾曲長辺が位置することとなる。即ち、天孔４４ａ１の中心から、それぞれの第２湾曲長辺までは互いに同一距離となる。当然、それぞれの第１湾曲長辺とそれに対向するそれぞれの第２湾曲長辺とがなす「小孔の幅」も互いに同一となる。第１環状孔４６ａのそれぞれの小孔の幅は、発根用充填材の乾燥や蟻の営巣等を防ぐ観点で、０．５〜２．０ｍｍ程度が好ましい。
【００７８】
第１環状孔４６ａのそれぞれの小孔の２つの短辺は、図５（ａ）及び（ｂ）に示すように、天孔４４ａ１の中心を通る線上に位置する。第１環状孔４６ａのそれぞれの小孔の間の長さ、即ち、隣接する小孔の向かい合う２つの短辺の距離は、部材の強度の観点から、０．５〜３．０ｍｍ程度が好ましい。
【００７９】
第２環状孔４６ｂについても第１環状孔４６ａと同様に、図５（ａ）においては、計８個の細長く湾曲した、同一サイズの小孔から成る。第２環状孔４６ｂのそれぞれの小孔は、対向する湾曲した２つの長辺と、対向する２つの短辺から構成される。２つの長辺は長さが異なり、底孔４４ｂ１に近い側を「第３湾曲長辺」、底孔４４ｂ１から遠い側を「第４湾曲長辺」と定義すると、第３湾曲長辺の方が第４湾曲長辺より短い。８個の小孔のそれぞれの第３湾曲長辺と底孔４４ｂ１の縁との距離は、互いに同一であり、底孔４４ｂ１の同心円の円周上にそれぞれの第３湾曲長辺が位置することとなる。８個の小孔のそれぞれの第３湾曲長辺と底孔４４ｂ１の縁との距離は、３．０〜７．０ｍｍ程度が好ましい。即ち、底孔４４ｂ１の中心から、それぞれの第３湾曲長辺までは互いに同一距離となる。同様に、８個の小孔のそれぞれの第４湾曲長辺と底孔４４ｂ１の縁との距離は、互いに同一であり、底孔４４ｂ１の同心円の円周上にそれぞれの第４湾曲長辺が位置することとなる。即ち、底孔４４ｂ１の中心から、それぞれの第４湾曲長辺までは互いに同一距離となる。当然、それぞれの第３湾曲長辺とそれに対向するそれぞれの第４湾曲長辺とがなす「小孔の幅」も互いに同一となる。第２環状孔４６ｂのそれぞれの小孔の幅は、発根用充填材の乾燥や蟻の営巣等を防ぐ観点で、０．５〜２．０ｍｍ程度が好ましい。
【００８０】
第２環状孔４６ｂのそれぞれの小孔の２つの短辺は、第１環状孔４６ａと同様に、底孔４４ｂ１の中心を通る線上に位置する。第２環状孔４６ｂのそれぞれの小孔の間の長さ、即ち、隣接する小孔の向かい合う２つの短辺の距離は、部材の強度の観点から、０．５〜３．０ｍｍ程度が好ましい。
【００８１】
第１環状孔４６ａのそれぞれの小孔と、第２環状孔４６ｂのそれぞれの小孔とは、同一サイズであってもそうでなくともよい。第１環状孔４６ａのそれぞれの小孔は図５においては８個だが、４個や６個であってもよいし、１０個以上であっても構わない。第２環状孔４６ｂのそれぞれの小孔も同様である。
【００８２】
図６（ａ）及び（ｂ）に示すように、第２実施形態に係る取り木用具１１ｂは、第１環状孔４６ａの部分で、天孔４４ａ１から第１環状孔４６ａまでの上部の一部分を折り取る等して除去し、形状を変形することが可能である。第１環状孔４６ａのそれぞれの小孔の間は０．５〜３．０ｍｍ程度であるため、人の指の力でも容易に折り取ることができる。折り取りは、例えば天孔４４ａ１の縁に親指の腹を当てて、空洞部側に力を込めることで可能である。又、取り木用具１１ｂを開状態とし、第１環状孔４６ａのそれぞれの小孔の第１湾曲長辺に沿って、ハサミ等の刃物を用いて切断してもよい。変形後は、図６（ａ）及び（ｂ）に示すように、図５（ａ）及び（ｂ）の天孔４４ａ１より直径が大きな拡大天孔４４ａ２が出現する。変形の際、第１環状孔４６ａのそれぞれの小孔の間が拡大天孔４４ａ２の縁に突起状に残留することがあるが、取り木処理への使用の点では問題がない。天孔４４ａ１と拡大天孔４４ａ２との関係と同様に、底孔４４ｂ１を変形させて拡大底孔４４ｂ２を出現させることができる。図６（ａ）及び（ｂ）に示すように、拡大天孔４４ａ２及び拡大底孔４４ｂ２を出現させた段階で、図３に示したのと同様に拡大天孔４４ａ２及び拡大底孔４４ｂ２を介して取り木処理対象の枝を密閉して収容することにより、第１密閉カバ−部２１及び第２密閉カバ−部２３で囲まれた空洞が密閉のレベルの高い「閉状態」になる。
【００８３】
図６に示す第２実施形態に係る取り木用具１１ｂの変形後の形状であっても、図５に示す変形前と同様に、取り木処理に使用することができる。変形前よりも天孔及び底孔の直径が大きいため、より太い枝を取り木処理対象とすることが可能である。例えば、天孔４４ａ１が１．０ｃｍの場合、１．２ｃｍの太さの枝は締めつけてしまうために取り木処理に用いることができないが、拡大天孔４４ａ２が１．５〜２．０ｃｍであれば、１．２ｃｍの太さの枝を取り木処理することが可能である。第２実施形態に係る取り木用具１１ｂには、取り木処理対象の枝の太さによって、天孔及び底孔の孔の大きさを変化させることができる利点がある。
【００８４】
第２実施形態に係る取り木用具１１ｂを用いると、第１実施形態に係る取り木用具１１の場合と同様、環状剥皮から取り木用具１１ｂの設置まで、特別な技術を有さない者でも３０秒〜１分程度で行うことができる。第２実施形態に係る取り木用具１１ｂを用いた取り木処理においては、発根用充填材を充填した取り木用具１１ｂと剥皮用具さえ持参すればよいこととなり、作業もスムーズに行える。取り木用具１１ｂを適用できる樹木の種類についても、第１実施形態に係る取り木用具１１の場合と同様であり、様々な樹木で一定の発根率で取り木を得ることに成功している。
【００８５】
第２実施形態に係る取り木用具１１ｂを用いると、第１実施形態に係る取り木用具１１の場合と同様、十分な発根が確認される数か月間（取り木期間）に、空洞部に充填したミズゴケ等に水分を人為的に補充しなくとも、ミズゴケ等が乾燥し過ぎることはほとんどない。発根に必要なミズゴケ等の量や枝の太さ等から、取り木用具１１ｂの寸法や雨水を取り入れる天孔４４ａ１及び底孔４４ｂ１の直径、第１環状孔４６ａ及び第２環状孔４６ｂの孔の大きさ、拡大天孔４４ａ２及び拡大底孔４４ｂ２の直径等の適切な数値が算出された上で、第２実施形態に係る取り木用具１１ｂが設計されているためである。
【００８６】
又、特許文献１の考案に記載の取り木用具においては、通気・通水用の小孔が多数設けられ、又、雨水貯蔵タンクが別途設けられていたが、第２実施形態に係る取り木用具１１ｂではそれらを設ける必要がないので、製造コストや手間が大きく削減できる。
【００８７】
更に、第２実施形態に係る取り木用具１１ｂはワンタッチで任意に開状態又は閉状態とできるため、取り木期間の初期段階から簡単に発根状態の確認をすることができる。薄手のビニールシート等をかける従来技術では、ビニールシートの上端と下端を紐やテープ等でしばってしまうことが多いため、途中で開封して発根状態を確認することは行わないのが通常である。第２実施形態に係る取り木用具１１ｂを用いると初期段階から発根の成否が分かるため、効率的に取り木をつくることができる。
【００８８】
更に、第２実施形態に係る取り木用具１１ｂは、風雨や鳥獣被害に強い。ビニールシート等をかける従来技術では、ビニールシートが風雨に曝されて破れてしまったり、カラス等による鳥獣被害を受けてしまったりする等の問題があった。第２実施形態に係る取り木用具１１ｂを用いると、これらの問題はほとんど起こらないため、安定的に効率よく取り木を得ることができる。
【００８９】
更に、第２実施形態に係る取り木用具１１ｂにおいては、天孔４４ａ１及び底孔４４ｂ１の直径、第１環状孔４６ａ及び第２環状孔４６ｂの孔の大きさ、拡大天孔４４ａ２及び拡大底孔４４ｂ２の直径等の適切な数値が算出されているため、発根用充填材となるミズゴケ等の中に蟻が営巣しにくい。ミズゴケ等に蟻が営巣すると、環状剥皮部位とミズゴケ等の間に隙間が空いてしまい、環状剥皮部位への水分等の供給が途絶え、発根率の低下を招く。第２実施形態に係る取り木用具１１ｂを用いると、天孔４４ａ１及び底孔４４ｂ１、第１環状孔４６ａ及び第２環状孔４６ｂからの蟻の侵入を抑制することができるため、環状剥皮部位とミズゴケ等の間の隙間は生じにくい。
【００９０】
（第３実施形態）
図７に示すように、本発明の第３実施形態に係る取り木用具１１ｃは、第１実施形態に係る取り木用具１１と同様な樋状の第１密閉カバ−部２７と、第１密閉カバ−部２７と鏡像関係の立体形状を有する樋状の第２密閉カバ−部２８と、第１密閉カバ−部２７の連結側端部と第２密閉カバ−部２８の連結側端部とを回転移動可能に連結する結合部４１を備える。「連結側端部」は樋の長手方向に沿った一方の端部であり、連結側端部に対向する側の端部が「開閉側端部」として定義される。第１密閉カバ−部２７の第１側壁板の開閉側端部の外壁面の一部には枠状の第１固定手段３１が設けられ、第２密閉カバ−部２８の第２側壁板の開閉側端部の外壁面の一部には棒状の第２固定手段３３が設けられている。第１固定手段３１と第２固定手段３３とで、ワンタッチで開閉状態の束縛を切り替えられる切替留め具を構成している。第１密閉カバ−部２７は、第１天板に半円状の第１の切り欠きを有し、第１底板に半円状の第２の切り欠きを有する。第２密閉カバ−部２８は、第２天板に半円状の第３の切り欠きを有し、第２底板に半円状の第４の切り欠きを有する。第３実施形態に係る取り木用具１１ｃは、結合部４１を軸にして第１密閉カバ−部２７又は第２密閉カバ−部２８のいずれか一方を回転移動することで、閉状態と開状態とを任意にとることができる。
【００９１】
「閉状態」では、図７に示すように、第１密閉カバ−部２７の第１側壁板及び第２密閉カバ−部２８の第２側壁板が連続した一様な周回面を構成して円筒形状を構成する。第１密閉カバ−部２７及び第２密閉カバ−部２８が空洞部を囲む円筒形状をなし、この円筒の上端面に第１の切り欠き及び第３の切り欠きで構成された天孔４３が開孔され、第１底板に第２の切り欠き及び第４の切り欠きで構成された底孔４５が開孔される。開状態の図示は省略するが、第１側壁板及び第２側壁板が結合部４１のみで連結した開腹状態である。第３実施形態に係る取り木用具１１ｃは、図３に示したのと同様に、天孔４３及び底孔４５を介して取り木処理対象の枝を密閉して収容することによって、第１密閉カバ−部２７と第２密閉カバ−部２８が囲む円筒が密閉のレベルの高い閉状態に移行する。
【００９２】
第３実施形態に係る取り木用具１１ｃの第１密閉カバ−部２７及び第２密閉カバ−部２８の機能や素材については、第１実施形態に係る取り木用具１１の第１密閉カバ−部２１及び第２密閉カバ−部２３と同様である。天孔４３及び底孔４５についても、図７に示す閉状態においては、第１実施形態に係る取り木用具１１の天孔４３及び底孔４５と構造や機能は同様である。第３実施形態に係る取り木用具１１ｃのその他の構造である第１固定手段３１、第２固定手段３３、結合部４１の構造や機能等は、第１実施形態に係る取り木用具１１の相当する部分と同様である。
【００９３】
図７に示すように、第３実施形態に係る取り木用具１１ｃは、閉状態における全体形状は、図１（ａ）に示す第１実施形態に係る取り木用具１１と同様、空洞を内蔵した円柱形状である。閉状態において、取り木用具１１ｃの空洞部は天孔４３及び底孔４５のみで外部と通じている状態となる。第３実施形態に係る取り木用具１１ｃについては、更に、上部の天孔４３付近及び下部の底孔４５付近が、それ以外の部位よりも柔らかい素材から成る第１軟性部２７ａ、第２軟性部２７ｂ、第３軟性部２８ａ及び第４軟性部２８ｂで構成されている。第１軟性部２７ａ、第２軟性部２７ｂ、第３軟性部２８ａ及び第４軟性部２８ｂを有することにより、天孔４３及び底孔４５を介して取り木処理対象の枝を収容した場合の密閉度を適切に調整でき、取り木処理対象の枝の太さに対する自由度が向上する。
【００９４】
天孔４３を縁取るように、第１密閉カバ−部２７に第１軟性部２７ａが固定され、第２密閉カバ−部２８に第３軟性部２８ａが固定されている。底孔４５を縁取るように、第１密閉カバ−部２７に第２軟性部２７ｂが固定され、第２密閉カバ−部２８に第４軟性部２８ｂが固定されている。第１密閉カバ−部２１及び第２密閉カバ−部２３の素材については、プラスチックや薄型の金属、木材等、あらゆる素材を材料としてとり得るが、第１軟性部２７ａ、第２軟性部２７ｂ、第３軟性部２８ａ及び第４軟性部２８ｂには、プラスチックの中でも比較的柔らかいシリコン樹脂やウレタン樹脂等を用いるのが好ましい。第１軟性部２７ａ、第２軟性部２７ｂ、第３軟性部２８ａ及び第４軟性部２８ｂの幅は、０．５〜１．０ｃｍ程度が好ましい。第１軟性部２７ａ、第２軟性部２７ｂ、第３軟性部２８ａ及び第４軟性部２８ｂにはそれぞれ、天孔４３又は底孔４５の中心を中心とする放射状の切れ込みが入っていてもよい。
【００９５】
第３実施形態に係る取り木用具１１ｃを用いると、第１実施形態に係る取り木用具１１の場合と同様、環状剥皮から取り木用具１１ｃの設置まで、特別な技術を有さない者でも３０秒〜１分程度で行うことができる。第３実施形態に係る取り木用具１１ｃを用いた取り木処理においては、発根用充填材を充填した取り木用具１１ｃと剥皮用具さえ持参すればよいこととなり、作業もスムーズに行える。取り木用具１１ｃを適用できる樹木の種類についても、第１実施形態に係る取り木用具１１の場合と同様であり、様々な樹木で一定の発根率で取り木を得ることに成功している。
【００９６】
第３実施形態に係る取り木用具１１ｃを用いると、第１実施形態に係る取り木用具１１の場合と同様、十分な発根が確認される数か月間（取り木期間）に、空洞部に充填したミズゴケ等に水分を人為的に補充しなくとも、ミズゴケ等が乾燥し過ぎることはほとんどない。発根に必要なミズゴケ等の量や枝の太さ等から、取り木用具１１ｃの寸法や雨水を取り入れる天孔４３及び底孔４５の直径の適切な数値が算出された上で、第３実施形態に係る取り木用具１１ｃが設計されているためである。
【００９７】
又、特許文献１の考案に記載の取り木用具においては、通気・通水用の小孔が多数設けられ、又、雨水貯蔵タンクが別途設けられていたが、第３実施形態に係る取り木用具１１ｃではそれらを設ける必要がないので、製造コストや手間が大きく削減できる。
【００９８】
更に、第３実施形態に係る取り木用具１１ｃはワンタッチで任意に開状態又は閉状態とできるため、取り木期間の初期段階から簡単に発根状態の確認をすることができる。薄手のビニールシート等をかける従来技術では、ビニールシートの上端と下端を紐やテープ等でしばってしまうことが多いため、途中で開封して発根状態を確認することは行わないのが通常である。第３実施形態に係る取り木用具１１ｃを用いると初期段階から発根の成否が分かるため、効率的に取り木をつくることができる。
【００９９】
更に、第３実施形態に係る取り木用具１１ｃは、風雨や鳥獣被害に強い。ビニールシート等をかける従来技術では、ビニールシートが風雨に曝されて破れてしまったり、カラス等による鳥獣被害を受けてしまったりする等の問題があった。第３実施形態に係る取り木用具１１ｃを用いると、これらの問題はほとんど起こらないため、安定的に効率よく取り木を得ることができる。
【０１００】
更に、第３実施形態に係る取り木用具１１ｃにおいては、天孔４３及び底孔４５の直径の適切な数値が算出されているため、発根用充填材となるミズゴケ等の中に蟻が営巣しにくい。ミズゴケ等に蟻が営巣すると、環状剥皮部位とミズゴケ等の間に隙間が空いてしまい、環状剥皮部位への水分等の供給が途絶え、発根率の低下を招く。第３実施形態に係る取り木用具１１ｃを用いると、天孔４３及び底孔４５からの蟻の侵入を抑制することができるため、環状剥皮部位とミズゴケ等の間の隙間は生じにくい。
【０１０１】
更に、第３実施形態に係る取り木用具１１ｃにおいては、取り木処理中に対象の枝が天孔４３及び底孔４５よりも数ｍｍ程度太く成長した場合であっても、取り木処理を続行できる。第３実施形態に係る取り木用具１１ｃに設けられている第１軟性部２７ａ、第２軟性部２７ｂ、第３軟性部２８ａ及び第４軟性部２８ｂは、人力でも上方や下方に容易に曲げて変形させることが可能な程柔らかい素材であるためである。成長した枝を傷つけたり圧迫したりすることなく、望みの発根状態となるまで取り木処理を続けることができる。第１軟性部２７ａ、第２軟性部２７ｂ、第３軟性部２８ａ及び第４軟性部２８ｂについて、天孔４３又は底孔４５を挟んで対向する軟性部とのそれぞれの接触部分には、通常は隙間はなく密着している状態である。しかし第１軟性部２７ａ、第２軟性部２７ｂ、第３軟性部２８ａ及び第４軟性部２８ｂが上方や下方に曲げられると、対向する軟性部とのそれぞれの接触部分にわずかだが隙間が生じる。この隙間のため、取り木処理中の閉状態の第３実施形態に係る取り木用具１１ｃは完全な密閉状態となることはなく、適度な雨水等を取り入れることができ、内部の余分な水分を排出することができるのである。更にこの隙間は最大１．５ｍｍ程度であるため、空洞部の発根用充填材が乾燥し過ぎることはなく、かつ、蟻の侵入も抑制することができる。
【０１０２】
又、第３実施形態に係る取り木用具１１ｃにおいては、天孔４３及び底孔４５よりも取り木処理対象の枝が太くならない場合であっても、第１軟性部２７ａ、第２軟性部２７ｂ、第３軟性部２８ａ及び第４軟性部２８ｂは枝の表面を保護する効果がある。
【０１０３】
（第４実施形態）
図８（ａ）及び（ｂ）に示すように、本発明の第４実施形態に係る取り木用具１１ｄは、第１実施形態に係る取り木用具１１と同様な樋状の第１密閉カバ−部２５と、第１密閉カバ−部２５と鏡像関係の立体形状を有する樋状の第２密閉カバ−部２６と、第１密閉カバ−部２５の連結側端部と第２密閉カバ−部２６の連結側端部とを回転移動可能に連結する結合部４１を備える。「連結側端部」は樋の長手方向に沿った一方の端部であり、連結側端部に対向する側の端部が「開閉側端部」として定義される。第１密閉カバ−部２５の第１側壁板の開閉側端部の外壁面の一部には枠状の第１固定手段３１が設けられ、第２密閉カバ−部２６の第２側壁板の開閉側端部の外壁面の一部には棒状の第２固定手段３３が設けられている。第１固定手段３１と第２固定手段３３とで、ワンタッチで開閉状態の束縛を切り替えられる切替留め具を構成している。第１密閉カバ−部２５は、第１天板に半円状の第１の切り欠きを有し、第１底板に半円状の第２の切り欠きを有する。第２密閉カバ−部２６は、第２天板に半円状の第３の切り欠きを有し、第２底板に半円状の第４の切り欠きを有する。第４実施形態に係る取り木用具１１ｄは、結合部４１を軸にして第１密閉カバ−部２５又は第２密閉カバ−部２６のいずれか一方を回転移動することで、閉状態と開状態とを任意にとることができる。「閉状態」では、図８（ａ）に示すように、第１密閉カバ−部２５の第１側壁板及び第２密閉カバ−部２６の第２側壁板が連続した一様な周回面を構成して円筒形状を構成する。第１密閉カバ−部２５及び第２密閉カバ−部２６の外形が空洞を内蔵する円筒形状を構成し、この円筒の上端面に、第１の切り欠き及び第３の切り欠きで構成された天孔４３が開孔し、第１底板に第２の切り欠き及び第４の切り欠きで構成された底孔４５が開孔している。「開状態」の図示は省略するが、第１側壁板及び第２側壁板が結合部４１のみで連結している開腹状態である。第４実施形態に係る取り木用具１１ｄは、図３に示したのと同様に、天孔４３及び底孔４５を介して取り木処理対象の枝を密閉して収容することにより、第１密閉カバ−部２５及び第２密閉カバ−部２６が構成する円筒が密閉のレベルの高い閉状態になる。
【０１０４】
図８（ａ）に示すような閉状態において、第４実施形態に係る取り木用具１１ｄの上端面は、上部の縁から天孔４３に向かう程、空洞部側に向かって傾斜する凹面をなしている。即ち、天孔４３は上部の縁より下方に位置する。このため、第２密閉カバ−部２６の第２天板の接触端部が、第１密閉カバ−部２５の第１天板と線状に接触可能なように、第２天板の接触端部に接触する第１天板の接触端部は、第２天板の接触端部と鏡像関係で湾曲する形状を有している。同様に、図８（ａ）に示すような閉状態において、第４実施形態に係る取り木用具１１ｄの下端面は、下部の縁から底孔４５に向かう程、空洞部側に向かって傾斜する凹面をなしている。即ち、底孔４５は下部の縁より上方に位置する。このため、第２密閉カバ−部２６の第２底板の接触端部が、第１密閉カバ−部２５の第１底板と線状に接触可能なように、第２底板の接触端部に接触する第１底板の接触端部は、第２底板の接触端部と鏡像関係で湾曲する形状を有している。第４実施形態に係る取り木用具１１ｄは、閉状態において、取り木用具１１ｄの空洞部は天孔４３及び底孔４５のみで外部と通じている状態となる。
【０１０５】
第１密閉カバ−部２５及び第２密閉カバ−部２６の素材については、第１実施形態に係る取り木用具１１の第１密閉カバ−部２１及び第２密閉カバ−部２３と同様である。天孔４３及び底孔４５についても、図８（ａ）に示す閉状態においては、それらの配置以外は、第１実施形態に係る取り木用具１１の天孔４３及び底孔４５と構造や機能は同様である。第４実施形態に係る取り木用具１１ｄのその他の構造である第１固定手段３１、第２固定手段３３、結合部４１の構造や機能等は、第１実施形態に係る取り木用具１１の相当する部分と同様である。
【０１０６】
第４実施形態に係る取り木用具１１ｄを用いると、第１実施形態に係る取り木用具１１の場合と同様、環状剥皮から取り木用具１１ｄの設置まで、特別な技術を有さない者でも３０秒〜１分程度で行うことができる。第４実施形態に係る取り木用具１１ｄを用いた取り木処理においては、発根用充填材を充填した取り木用具１１ｄと剥皮用具さえ持参すればよいこととなり、作業もスムーズに行える。取り木用具１１ｄを適用できる樹木の種類についても、第１実施形態に係る取り木用具１１の場合と同様であり、様々な樹木で一定の発根率で取り木を得ることに成功している。
【０１０７】
第４実施形態に係る取り木用具１１ｄを用いると、第１実施形態に係る取り木用具１１の場合と同様、十分な発根が確認される数か月間（取り木期間）に、空洞部に充填したミズゴケ等に水分を人為的に補充しなくとも、ミズゴケ等が乾燥し過ぎることはほとんどない。発根に必要なミズゴケ等の量や枝の太さ等から、取り木用具１１ｄの寸法や雨水を取り入れる天孔４３及び底孔４５の直径の適切な数値が算出された上で、第４実施形態に係る取り木用具１１ｄが設計されているためである。
【０１０８】
又、特許文献１の考案に記載の取り木用具においては、通気・通水用の小孔が多数設けられ、又、雨水貯蔵タンクが別途設けられていたが、第４実施形態に係る取り木用具１１ｄではそれらを設ける必要がないので、製造コストや手間が大きく削減できる。又、第４実施形態に係る取り木用具１１ｄでは、天孔４３に向けて上部が凹んだ構造であるため、凹んでいない構造と比較して、天孔４３からより多くの雨水等の水分を取り込むことができる。更に、第４実施形態に係る取り木用具１１ｄでは、底孔４５に向けて下部が凹んだ構造であるため、凹んでいない構造と比較して、空洞部の下部の縁部分に取りこんだ水分を溜めることができ、空洞部へ入り込んだ水分を底孔４５から逃しにくくすることができる。
【０１０９】
更に、第４実施形態に係る取り木用具１１ｄはワンタッチで任意に開状態又は閉状態とできるため、取り木期間の初期段階から簡単に発根状態の確認をすることができる。薄手のビニールシート等をかける従来技術では、ビニールシートの上端と下端を紐やテープ等でしばってしまうことが多いため、途中で開封して発根状態を確認することは行わないのが通常である。第４実施形態に係る取り木用具１１ｄを用いると初期段階から発根の成否が分かるため、効率的に取り木をつくることができる。
【０１１０】
更に、第４実施形態に係る取り木用具１１ｄは、風雨や鳥獣被害に強い。ビニールシート等をかける従来技術では、ビニールシートが風雨に曝されて破れてしまったり、カラス等による鳥獣被害を受けてしまったりする等の問題があった。第４実施形態に係る取り木用具１１ｄを用いると、これらの問題はほとんど起こらないため、安定的に効率よく取り木を得ることができる。
【０１１１】
更に、第４実施形態に係る取り木用具１１ｄにおいては、天孔４３及び底孔４５の直径の適切な数値が算出されているため、発根用充填材となるミズゴケ等の中に蟻が営巣しにくい。ミズゴケ等に蟻が営巣すると、環状剥皮部位とミズゴケ等の間に隙間が空いてしまい、環状剥皮部位への水分等の供給が途絶え、発根率の低下を招く。第４実施形態に係る取り木用具１１ｄを用いると、天孔４３及び底孔４５からの蟻の侵入を抑制することができるため、環状剥皮部位とミズゴケ等の間の隙間は生じにくい。
【０１１２】
更に、第４実施形態に係る取り木用具１１ｄにおいては、取り木処理中に対象の枝が天孔４３及び底孔４５よりも数ｍｍ程度太く成長した場合であっても、取り木処理を続行できる。第４実施形態に係る取り木用具１１ｄは、第１天板及び第１底板がそれぞれ空洞部側に凹んだ構造であるため、取り木対象の枝が多少太くなった場合は、容易に天孔４３及び底孔４５が広がり、第１天板及び第１底板が通常より空洞部側に寄るように変形する。そして閉状態であった第１密閉カバ−部２５の第１側壁板と第２密閉カバ−部２６の第２側壁板とが、天孔４３及び底孔４５付近を中心に０．５〜２．０ｍｍ程度離間する。この時、第１固定手段３１と第２固定手段３３の結合は外れることはなく、勿論結合部４１に亀裂が入る等の破損も起こらない。第４実施形態に係る取り木用具１１ｄを用いると、成長した枝を傷つけたり圧迫したりすることなく、望みの発根状態となるまで取り木処理を続けることができる。第１密閉カバ−部と第２密閉カバ−部２６との間に生じた隙間があるため、取り木処理中の第４実施形態に係る取り木用具１１ｄは完全な密閉状態となることはなく、適度な雨水等を取り入れることができ、内部の余分な水分を排出することができるのである。更にこの隙間は最大２．０ｍｍ程度であるため、空洞部の発根用充填材が乾燥し過ぎることはなく、かつ、蟻の侵入も抑制することができる。第４実施形態に係る取り木用具１１ｄの第１天板及び第１底板にはそれぞれ、天孔４３又は底孔４５の中心を中心とする放射状の切れ込みが入っていてもよい。この切れ込みがあることで、取り木処理中に対象の枝が天孔４３及び底孔４５よりも数ｍｍ程度太く成長した場合に、成長した枝への圧迫（ストレス）を更に減らすことができる。
【０１１３】
（第５実施形態）
図９に示すように、本発明の第５実施形態に係る取り木用具１１ｅは、樋状の第１密閉カバ−部２９と、第１密閉カバ−部２９と鏡像関係の立体形状を有する樋状の第２密閉カバ−部３０と、第１密閉カバ−部２９の連結側端部と第２密閉カバ−部３０の連結側端部を回転移動可能に連結する結合部４１を備える。「連結側端部」は樋の長手方向に沿った一方の端部であり、連結側端部に対向する側の端部が「開閉側端部」として定義される。第１密閉カバ−部２９の第１側壁板の開閉側端部の外壁面の一部には枠状の第１固定手段３１が設けられ、第２密閉カバ−部３０の第２側壁板の開閉側端部の外壁面の一部には棒状の第２固定手段３３が設けられている。第１固定手段３１と第２固定手段３３とで、ワンタッチで開閉状態の束縛を切り替えられる切替留め具を構成している。第１密閉カバ−部２９は、第１天板に半円状の第１の切り欠きを有し、第１底板に半円状の第２の切り欠きを有する。第２密閉カバ−部３０は、第２天板に半円状の第３の切り欠きを有し、第２底板に半円状の第４の切り欠きを有する。第５実施形態に係る取り木用具１１ｅは、結合部４１を軸にして第１密閉カバ−部２９又は第２密閉カバ−部３０のいずれか一方を回転移動することで、閉状態と開状態とを任意にとることができる。「閉状態」では、図９に示すように、第１密閉カバ−部２９の第１側壁板及び第２密閉カバ−部３０の第２側壁板が連続した一様な周回面を構成して円錐台（切頭円錐）形状を構成する。第１密閉カバ−部２９及び第２密閉カバ−部３０の外形が空洞を内蔵する逆円錐台形状を構成し、この逆円錐台の第１天板に、第１の切り欠き及び第３の切り欠きで構成された天孔４３が開孔され、逆円錐台の第１底板に、第２の切り欠き及び第４の切り欠きで構成された底孔４５が開孔される。「開状態」の図示は省略するが、第１側壁板及び第２側壁板が結合部４１のみで連結した開腹状態である。第５実施形態に係る取り木用具１１ｅは、図３に示したのと同様に、天孔４３及び底孔４５を介して取り木処理対象の枝を密閉して収容することにより、第１密閉カバ−部２９と第２密閉カバ−部３０が構成する逆円錐台を閉状態とすることができる。第５実施形態に係る取り木用具１１ｅは、閉状態において、取り木用具１１ｅの空洞部は天孔４３及び底孔４５のみで外部と通じている状態となる。
【０１１４】
取り木が完了した後に土に植え込むことや植物の根の張り方を考慮すると、図９に示すような上部から下部に向けて窄まった円錐台形状、即ち、第１天板の面が第１底板の面よりも面積が広い逆円錐台形状は好ましい形状である。図９に示すように上部から下部に向けて窄まった円錐台形状を採用した際には、高さを８．０ｃｍ程度とすると、上部の直径は３．５〜４．５ｃｍ、かつ、下部の直径は２．５〜３．５ｃｍが望ましい。これらの数値は、植物の根の張りやすさや発根用充填材となるミズゴケ等の量、重量による枝への負担、枝の剥皮部分を十分に覆うこと等を総合的に考慮した結果、発明者らが実験を重ねて算出した数値である。
【０１１５】
第１密閉カバ−部２９及び第２密閉カバ−部３０の素材については、第１実施形態に係る取り木用具１１の第１密閉カバ−部２１及び第２密閉カバ−部２３と同様である。天孔４３及び底孔４５についても、図９に示す閉状態においては、第１実施形態に係る取り木用具１１の天孔４３及び底孔４５と構造や機能は同様である。第５実施形態に係る取り木用具１１ｅのその他の構造である第１固定手段３１、第２固定手段３３、結合部４１の構造や機能等は、第１実施形態に係る取り木用具１１の相当する部分と同様である。
【０１１６】
第５実施形態に係る取り木用具１１ｅを用いると、第１実施形態に係る取り木用具１１の場合と同様、環状剥皮から取り木用具１１ｅの設置まで、特別な技術を有さない者でも３０秒〜１分程度で行うことができる。第５実施形態に係る取り木用具１１ｅを用いた取り木処理においては、発根用充填材を充填した取り木用具１１ｅと剥皮用具さえ持参すればよいこととなり、作業もスムーズに行える。取り木用具１１ｅを適用できる樹木の種類についても、第１実施形態に係る取り木用具１１の場合と同様であり、様々な樹木で一定の発根率で取り木を得ることに成功している。
【０１１７】
第５実施形態に係る取り木用具１１ｅを用いると、第１実施形態に係る取り木用具１１の場合と同様、十分な発根が確認される数か月間（取り木期間）に、空洞部に充填したミズゴケ等に水分を人為的に補充しなくとも、ミズゴケ等が乾燥し過ぎることはほとんどない。発根に必要なミズゴケ等の量や枝の太さ等から、取り木用具１１ｅの寸法や雨水を取り入れる天孔４３及び底孔４５の直径の適切な数値が算出された上で、第５実施形態に係る取り木用具１１ｅが設計されているためである。
【０１１８】
又、特許文献１の考案に記載の取り木用具においては、通気・通水用の小孔が多数設けられ、又、雨水貯蔵タンクが別途設けられていたが、第５実施形態に係る取り木用具１１ｅではそれらを設ける必要がないので、製造コストや手間が大きく削減できる。
【０１１９】
更に、第５実施形態に係る取り木用具１１ｅはワンタッチで任意に開状態又は閉状態とできるため、取り木期間の初期段階から簡単に発根状態の確認をすることができる。薄手のビニールシート等をかける従来技術では、ビニールシートの上端と下端を紐やテープ等でしばってしまうことが多いため、途中で開封して発根状態を確認することは行わないのが通常である。第５実施形態に係る取り木用具１１ｅを用いると初期段階から発根の成否が分かるため、効率的に取り木をつくることができる。
【０１２０】
更に、第５実施形態に係る取り木用具１１ｅは、風雨や鳥獣被害に強い。ビニールシート等をかける従来技術では、ビニールシートが風雨に曝されて破れてしまったり、カラス等による鳥獣被害を受けてしまったりする等の問題があった。第５実施形態に係る取り木用具１１ｅを用いると、これらの問題はほとんど起こらないため、安定的に効率よく取り木を得ることができる。
【０１２１】
更に、第５実施形態に係る取り木用具１１ｅにおいては、天孔４３及び底孔４５の直径の適切な数値が算出されているため、発根用充填材となるミズゴケ等の中に蟻が営巣しにくい。ミズゴケ等に蟻が営巣すると、環状剥皮部位とミズゴケ等の間に隙間が空いてしまい、環状剥皮部位への水分等の供給が途絶え、発根率の低下を招く。第５実施形態に係る取り木用具１１ｅを用いると、天孔４３及び底孔４５からの蟻の侵入を抑制することができるため、環状剥皮部位とミズゴケ等の間の隙間は生じにくい。
【０１２２】
更に、第５実施形態に係る取り木用具１１ｅにおいては、上部から下部に向けて窄まった円錐台形状であるため、上部から下部にかけて直径が同一の円柱形状の取り木用具より、発根用充填材の量を少なくすることができ、かつ、発根した根をより下方に張らせることができる。植物の根は、肥料成分や水を吸収する役割と共に、植物体を支える役割をも果たす。取り木法の対象となる植物は樹木であり、特に根の「植物体を支える役割」の比重は大きく、下方に伸びた根が非常に重要となる。根は重力方向の下方に伸びやすい性質があるが、取り木用具の形状によっては水平方向にも広がってしまう。取り木処理後に目的の箇所に植え込む際、水平方向に広がった根を有する取り木に対しては、そのまま植え込む場合には土を広く掘らなければならず、植え込んだとしても植物体を支える機能は弱い。植え込む前に水平方向に広がった根を下方に形を整える場合もあるが、根を傷めやすく、その部分から取り木が弱っていく原因ともなる。取り木処理を終えた時点で根がより下方に集中して伸びている取り木は、そのままの形状で植え込みができるために根を傷つけることもなく、手間もかからず、かつ、植物体を支える機能が高いため、植え込み後の生育も良好となりやすい。
【０１２３】
（第６実施形態）
本発明の第６実施形態に係る取り木用具１１ｆは、図１０に示すような厚みの薄い丸三角柱をなす空洞状の第１密閉カバ−部３５と、第１密閉カバ−部３５と鏡像関係の立体形状となる第２密閉カバ−部３６と、第１密閉カバ−部３５の連結側端部と第２密閉カバ−部３６の連結側端部を回転移動可能に連結する結合部４７を備える。「丸三角柱」とは、図１０に示すように三角柱を構成する３本の陵がそれぞれ丸みを帯びた立体形状を意味する。第６実施形態に係る取り木用具１１ｆは、結合部４７を軸にして第１密閉カバ−部３５又は第２密閉カバ−部３６のいずれか一方を回転移動することで、閉状態と開状態とを任意にとることができる。
【０１２４】
「閉状態」においては、図１０に示すように、第１密閉カバ−部３５の第１側壁板及び第２密閉カバ−部３６の第２側壁板が一様な連続面を構成して円弧状の３本の陵を有した丸三角柱（おにぎり型）形状を構成する。第１密閉カバ−部３５及び第２密閉カバ−部３６の外形が空洞を内蔵し、上端面と下端面が鉛直方向に沿っている丸三角柱の立体形状を構成し、２本の陵が下側に位置している。ここで、「上端面」及び「下端面」は丸三角柱の厚みを定義する丸三角柱の２つの主面であり、図１０では水平方向に測られる。残る１本の陵は最上のレベルに位置し、この最上のレベルに位置する陵がなす曲面が、第１〜第５実施形態で説明した第１天板及び第２天板に対応する。即ち、第１密閉カバ−部３５側の最上のレベルの陵がなす曲面が、第１〜第５実施形態で説明した第１天板に対応し、第２密閉カバ−部３６側の最上のレベルの陵が、第１〜第５実施形態で説明した第２天板に対応する。第１天板に第１の切り欠きが、第２天板に第３の切り欠きが、最上のレベルの陵がなす曲面に設けられている。よって、第１天板と第２天板とで構成される曲面の中央に、天孔４３が開孔される。天孔４３は、第１の切り欠きと第３の切り欠きに分解可能である。
【０１２５】
下側に位置している２本の陵を繋ぐ側面（底面）が、第１〜第５実施形態で説明した第１底板及び第２底板に対応する。即ち、第１密閉カバ−部３５側の２本の陵を繋ぐ側面が、第１〜第５実施形態で説明した第１底板に対応し、第２密閉カバ−部３６側の２本の陵を繋ぐ側面が、第１〜第５実施形態で説明した第２底板に対応する。よって、第１底板と第２底板とで構成される底面の中央に底孔４５が開孔される。底孔４５は第２の切り欠きと第４の切り欠きで構成される。第６実施形態に係る取り木用具１１ｆは、図３に示したのと同様に、天孔４３及び底孔４５を介して取り木処理対象の枝を密閉して収容することによって、密閉のレベルの高い閉状態が達成される。
【０１２６】
図示を省略しているが、第６実施形態に係る取り木用具１１ｆの「開状態」は、三角形のおにぎりを、鉛直方向（高さ方向）に、丸三角柱の上端面と下端面に平行にちょうど半分になるように割った開腹構造となる。開腹状態において、第１側壁板及び第２側壁板が結合部４７のみで連結した開腹状態である。
【０１２７】
図１０に示した丸三角柱の配向では、丸三角柱の上端面と下端面が鉛直方向に沿っている。図１０の配向では、最上のレベルに位置する丸三角柱の陵から、下の２つの丸三角柱の陵に向かって２つの斜面が形成される。結合部４７は、図１０に示した配向における丸三角柱形の左側斜面の中央において、第１側壁板のうちの一部分と、第２側壁板のうちの一部分とを結合するように設けられている。即ち、第１密閉カバ−部３５側の左側斜面と、最上のレベルの陵を挟んで左側斜面とセットとなる右側斜面と、丸三角柱の上端面とで、第１〜第５実施形態で説明した第１側壁板に対応する箱状の部材を構成している。同様に、第２密閉カバ−部３６側の左側斜面と、左側斜面とセットとなる右側斜面と、丸三角柱の下端面とで、第１〜第５実施形態で説明した第２側壁板に対応する箱状の部材を構成している。第６実施形態に係る取り木用具１１ｆの「連結側端部」は、左側斜面側に位置する箱状の丸三角柱の一辺をなす端部であり、右側斜面側に位置する箱状の丸三角柱の他の一辺をなす端部が「開閉側端部」として定義される。第１密閉カバ−部３５の第１側壁板の開閉側端部の外壁面の一部には枠状の第１固定手段３１が設けられ、第２密閉カバ−部３６の第２側壁板の開閉側端部の外壁面の一部には棒状の第２固定手段３３が設けられている。
【０１２８】
第１密閉カバ−部３５及び第２密閉カバ−部３６の素材については、第１実施形態に係る取り木用具１１の第１密閉カバ−部２１及び第２密閉カバ−部２３と同様である。第６実施形態に係る取り木用具１１ｆの天孔４３及び底孔４５の構造や機能は、第１実施形態に係る取り木用具１１と同様である。第６実施形態に係る取り木用具１１ｆのその他の構造である第１固定手段３１及び第２固定手段３３の構造や機能等は、第１実施形態に係る取り木用具１１の相当する部分と同様である。
【０１２９】
第６実施形態に係る取り木用具１１ｆを用いると、第１実施形態に係る取り木用具１１の場合と同様、環状剥皮から取り木用具１１ｆの設置まで、特別な技術を有さない者でも３０秒〜１分程度で行うことができる。第６実施形態に係る取り木用具１１ｆを用いた取り木処理においては、発根用充填材を充填した取り木用具１１ｆと剥皮用具さえ持参すればよいこととなり、作業もスムーズに行える。取り木用具１１ｆを適用できる樹木の種類についても、第１実施形態に係る取り木用具１１の場合と同様であり、様々な樹木で一定の発根率で取り木を得ることに成功している。
【０１３０】
第６実施形態に係る取り木用具１１ｆを用いると、第１実施形態に係る取り木用具１１の場合と同様、十分な発根が確認される数か月間（取り木期間）に、空洞部に充填したミズゴケ等に水分を人為的に補充しなくとも、ミズゴケ等が乾燥し過ぎることはほとんどない。発根に必要なミズゴケ等の量や枝の太さ等から、取り木用具１１ｆの寸法や雨水を取り入れる天孔４３及び底孔４５の直径の適切な数値が算出された上で、第６実施形態に係る取り木用具１１ｆが設計されているためである。
【０１３１】
又、特許文献１の考案に記載の取り木用具においては、通気・通水用の小孔が多数設けられ、又、雨水貯蔵タンクが別途設けられていたが、第６実施形態に係る取り木用具１１ｆではそれらを設ける必要がないので、製造コストや手間が大きく削減できる。
【０１３２】
更に、第６実施形態に係る取り木用具１１ｆはワンタッチで任意に開状態又は閉状態とできるため、取り木期間の初期段階から簡単に発根状態の確認をすることができる。薄手のビニールシート等をかける従来技術では、ビニールシートの上端と下端を紐やテープ等でしばってしまうことが多いため、途中で開封して発根状態を確認することは行わないのが通常である。第６実施形態に係る取り木用具１１ｆを用いると初期段階から発根の成否が分かるため、効率的に取り木をつくることができる。
【０１３３】
更に、第６実施形態に係る取り木用具１１ｆは、風雨や鳥獣被害に強い。ビニールシート等をかける従来技術では、ビニールシートが風雨に曝されて破れてしまったり、カラス等による鳥獣被害を受けてしまったりする等の問題があった。第６実施形態に係る取り木用具１１ｆを用いると、これらの問題はほとんど起こらないため、安定的に効率よく取り木を得ることができる。
【０１３４】
更に、第６実施形態に係る取り木用具１１ｆにおいては、天孔４３及び底孔４５の直径の適切な数値が算出されているため、発根用充填材となるミズゴケ等の中に蟻が営巣しにくい。ミズゴケ等に蟻が営巣すると、環状剥皮部位とミズゴケ等の間に隙間が空いてしまい、環状剥皮部位への水分等の供給が途絶え、発根率の低下を招く。第６実施形態に係る取り木用具１１ｆを用いると、天孔４３及び底孔４５からの蟻の侵入を抑制することができるため、環状剥皮部位とミズゴケ等の間の隙間は生じにくい。
【０１３５】
更に、第６実施形態に係る取り木用具１１ｆにおいては、上部から下部にかけて広がったおにぎり形であるため、上部から下部にかけて直径が同一の円柱形状の取り木用具より、発根用充填材の量を少なくすることができ、かつ、発根した根をより横方向（水平方向）に張らせることができる。植物の根には、重力方向（垂直方向）に張りやすいものと横方向（水平方向）に張りやすいものとがある。根が横方向（水平方向）に張るのが好適である植物にとって、水平方向に障害物があることはストレスとなる。ストレスを与えない取り木用具としては、上部から下部にかけて末広がりの円錐形状、図９の第５実施形態に係る取り木用具１１ｅを逆さにしたような円錐台形状、又は図１０の第６実施形態に係る取り木用具１１ｆのようなおにぎり形が好ましい。第６実施形態に係る取り木用具１１ｆにおいては、根が横方向（水平方向）に張るのが好適である植物にとってストレスが少ない環境で発根できるため、植え込み後の生育も良好となりやすい。
【０１３６】
（その他の実施形態）
上記のように、本発明は第１〜第６実施形態及びその変形例、実施例、参考例によって記載したが、この開示の一部をなす論述及び図面は本発明を限定するものであると理解すべきではない。この開示から当業者には様々な代替の実施形態、実施例及び運用技術が明らかとなろう。
【０１３７】
第１実施形態に係る取り木方法では、図１に示す第１実施形態に係る取り木用具１１の内部に、水に浸漬したワラを充填した。取り木用具１１を開状態とし、第１密閉カバ−部２１及び第２密閉カバ−部２３の各内部に、水に浸漬したワラを充填した。充填の前に、取り木用具１１は殺菌処理をしてもしなくても構わない。この際、充填したワラにオーキシン系の成長促進ホルモン剤や２価鉄イオンを有効成分として含有する薬剤等を投与してもよい。又、ワラを充填する際に、水に浸漬したオガクズも充填してもよい。又、図１に示す第１実施形態に係る取り木用具１１の代わりに、図４（ａ）に示す第１変形例に係る取り木用具１１ａ１、図４（ｂ）に示す第２変形例に係る取り木用具１１ａ２、図５及び６に示す第２実施形態に係る取り木用具１１ｂ、図７に示す第３実施形態に係る取り木用具１１ｃ、図８に示す第４実施形態に係る取り木用具１１ｄ、図９に示す第５実施形態に係る取り木用具１１ｅ及び図１０に示す第６実施形態に係る取り木用具１１ｆであってもよいし、その他の形状、素材の取り木用具であっても構わない。取り木用具１１へのワラの充填は、取り木処理対象の枝に取り木用具１１を取り付ける直前であってもよいし、２〜３時間程前であっても構わない。ワラを充填した取り木用具１１の持ち運びの際は、図１（ａ）に示すような閉状態とする。
【０１３８】
又、実施形態等で説明したそれぞれの技術的思想の一部を適宜、互いに組み合わせることも可能である。このように、本発明はここでは記載していない様々な実施形態等を含むことは勿論である。したがって、本発明の技術的範囲は上記の説明から妥当と解釈しうる、特許請求の範囲に係る発明特定事項によってのみ定められるものである。
【符号の説明】
【０１３９】
１１、１１ａ１、１１ａ２１１ｂ、１１ｃ、１１ｄ、１１ｅ、１１ｆ…取り木用具
２１、２２、２２ａ、２５、２７、２９、３５…第１密閉カバ−部
２３、２４、２４ａ、２６、２８、３０、３６…第２密閉カバ−部
２７ａ、２７ｂ、２８ａ、２８ｂ…軟性部
３１…第１固定手段
３３…第２固定手段
４１、４２、４２ａ、４７…結合部
４３、４４ａ１…天孔
４４ａ２…拡大天孔
４４ｂ１…拡大底孔
４３ａ…第１の切り欠き
４３ｂ…第３の切り欠き
４５、４４ｂ１…底孔
４５ａ…第２の切り欠き
４５ｂ…第４の切り欠き
４６ａ…第１環状孔
４６ｂ…第２環状孔
６１…ミズゴケ
７１ａ…（枝の）幹側
７１ｂ…（枝の）末端側
７３…（枝の）環状剥皮部位
【図１】
2020022441.tif 000003
【図２】
2020022441.tif 000004
【図３】
2020022441.tif 000005
【図４】
2020022441.tif 000006
【図５】
2020022441.tif 000007
【図６】
2020022441.tif 000008
【図７】
2020022441.tif 000009
【図８】
2020022441.tif 000010
【図９】
2020022441.tif 000011
【図１０】
2020022441.tif 000012
【手続補正書】
【提出日】令和1年11月30日(2019.11.30)
【手続補正１】
【補正対象書類名】特許請求の範囲
【補正対象項目名】全文
【補正方法】変更
【補正の内容】
【特許請求の範囲】
【請求項１】
第１天板、該第１天板に対向した第１底板、前記第１天板と前記第１底板の間に第１空洞を設けるように、前記第１天板と前記第１底板を接続する第１側壁板を有する第１密閉カバ−部と、
前記第１天板と線状に接触可能な位置、形状及び厚みの接触端部を有する第２天板、前記第１底板と線状に接触可能な位置、形状及び厚みの接触端部を有する第２底板と、前記第１側壁板の外周面と一様な連続面を形成可能な外周面を有し、前記第２天板と前記第２底板の間に前記第１空洞と連続可能な第２空洞を設けるように、前記第２天板と前記第２底板を接続する第２側壁板を有する第２密閉カバ−部と、
前記第１側壁板の連結側端部と前記第２側壁板の連結側端部を回転移動可能に連結する結合部と、
前記第１側壁板の前記連結側端部に対向する開閉側端部の外壁面の一部に設けられた第１固定手段と、
前記第２側壁板の前記連結側端部に対向する開閉側端部の外壁面の一部に設けられた第２固定手段と
を備え、
前記第１天板に第１の切り欠きが、前記第１底板に第２の切り欠きが、前記第２天板に第３の切り欠きが、前記第２底板に第４の切り欠きがそれぞれ設けられ、
前記第１固定手段と前記第２固定手段とで、ワンタッチで前記第１密閉カバ−部と前記第２密閉カバ−部の開閉状態の束縛を切り替える切替留め具を構成し、
前記結合部を回転軸にして前記第１密閉カバ−部又は前記第２密閉カバ−部のいずれか一方を回転移動して開腹状態とすることで、前記第１空洞及び前記第２空洞に発根用充填材を充填し、前記第１密閉カバ−部と前記第２密閉カバ−部の間に、前記第１及び第３の切り欠きで構成される天孔の内径、並びに前記第２及び第４の切り欠きで構成される底孔の内径よりも０．５〜２．０ｍｍ小さな外径を有する取り木処理対象の枝を挿入し、前記切替留め具によって閉状態にすることにより、前記発根用充填材を圧縮し、圧縮された前記発根用充填材から生じる圧力で、前記第１密閉カバ−部及び前記第２密閉カバ−部を前記枝に固定することを特徴とする取り木用具。
【請求項２】
前記連続面を形成した状態における外形の包絡面がなす立体形状が、３本の稜がそれぞれ丸みを帯びた丸三角柱とみなせる形状であり、
該丸三角柱の厚みを定義する２つの主面が鉛直方向に沿い、
前記３本の稜のうちの１本の稜が、前記第１密閉カバ−部及び前記第２密閉カバ−部の上端にあり、
前記３本の稜のうちの残りの２本の稜が、前記第１密閉カバ−部及び前記第２密閉カバ−部の下側にあることを特徴とする、請求項１に記載の取り木用具。
【請求項３】
前記連続面を形成した状態における外形の包絡面がなす立体形状が、円錐台形状とみなせることを特徴とする、請求項１に記載の取り木用具。
【請求項４】
前記第１天板及び前記第２天板の合計面積が前記第１底板及び前記第２底板の合計面積より広いことを特徴とする請求項３に記載の取り木用具。
【請求項５】
前記第１天板と前記第２天板が互いの接触端部を接触して凹面を構成し、前記第１底板と前記第２底板が互いの接触端部を接触して凹面を構成することを特徴とする請求項１〜４のいずれか１項に記載の取り木用具。
【請求項６】
前記第１天板及び前記第２天板がなす上部において、前記天孔を囲む同心円上に刻まれた、一定間隔で断続的な複数の第１環状孔と、
前記第１底板及び前記第２底板がなす下部において、前記底孔を囲む同心円上に刻まれた、一定間隔で断続的な複数の第２環状孔と
を更に備え、
前記天孔から前記第１環状孔までの前記上部の一部分及び前記底孔から前記第２環状孔までの前記下部の一部分を除去すると、前記天孔及び前記底孔より直径が大きな孔を、前記上部及び前記下部のそれぞれに形成できることを特徴とする請求項１〜５のいずれか１項に記載の取り木用具。
【請求項７】
前記第１天板及び前記第２天板の前記天孔付近並びに前記第１底板及び前記第２底板の前記底孔付近が、それ以外の部位よりも柔らかい素材で構成されていることを特徴とする請求項１〜６のいずれか１項に記載の取り木用具。
【請求項８】
第１天板、該第１天板に対向した第１底板、前記第１天板と前記第１底板の間に第１空洞を設けるように、前記第１天板と前記第１底板を接続する第１側壁板を有する第１密閉カバ−部と、前記第１天板と線状に接触可能な位置、形状及び厚みの接触端部を有する第２天板、前記第１底板と線状に接触可能な位置、形状及び厚みの接触端部を有する第２底板と、前記第１側壁板の外周面と一様な連続面を形成可能な外周面を有し、前記第２天板と前記第２底板の間に前記第１空洞と連続可能な第２空洞を設けるように、前記第２天板と前記第２底板を接続する第２側壁板を有する第２密閉カバ−部と、前記第１側壁板の一部と前記第２側壁板の一部を回転移動可能に連結する結合部と、前記第１側壁板の前記連結側端部に対向する開閉側端部の外壁面の一部に設けられた第１固定手段と、前記第２側壁板の前記連結側端部に対向する開閉側端部の外壁面の一部に設けられた第２固定手段とを備え、前記第１天板に第１の切り欠きが、前記第１底板に第２の切り欠きが、前記第２天板に第３の切り欠きが、前記第２底板に第４の切り欠きがそれぞれ設けられ、前記第１固定手段と前記第２固定手段とで、ワンタッチで前記第１密閉カバ−部と前記第２密閉カバ−部の開閉状態の束縛を切り替える切替留め具を構成する、取り木用具を用いた取り木方法であって、
発根用充填材を水に浸漬する工程と、
前記第１空洞及び前記第２空洞に、前記発根用充填材を充填する工程と、
前記第１及び第３の切り欠きで構成される天孔の内径、並びに前記第２及び第４の切り欠きで構成される底孔の内径よりも０．５〜２．０ｍｍ小さな外径を有する取り木処理対象の枝を選択し、前記枝の発根させる部位を環状に剥皮して環状剥皮部位を形成する工程と、
前記取り木用具を、前記結合部を回転軸にして前記第１密閉カバ−部又は前記第２密閉カバ−部のいずれか一方を回転移動し、前記第１密閉カバ−部と前記第２密閉カバ−部の間に前記環状剥皮部位を挿入し、前記切替留め具によって閉状態にすることにより前記発根用充填材を圧縮し、圧縮された前記発根用充填材から生じる圧力で、前記第１密閉カバ−部及び前記第２密閉カバ−部を前記枝に固定する工程と、
を含むことを特徴とする取り木方法。
【請求項９】
前記枝が前記取り木用具で覆われた後に、前記回転移動を任意に実施し、前記環状剥皮部位の発根有無を目視確認することを特徴とする請求項８に記載の取り木方法。
【請求項１０】
前記発根用充填材を充填する工程において、前記発根用充填材として裁断したワラを、前記第１空洞及び前記第２空洞に充填することを特徴とする請求項８又は９に記載の取り木方法。
【請求項１１】
前記ワラを充填する際に、オガクズを混合させて充填することを特徴とする請求項１０に記載の取り木方法。